(57)【要約】  屋内または同様の環境内のモバイル通信デバイスにおいてまたはそれとともに使用するためなど、クラウドソーシングのためのプライバシーの制御を可能にするための１つまたは複数の動作または技法を容易にするかまたはサポートするために、全体的にまたは部分的に利用され得る例示的な方法、装置、または製造品について本明細書で開示される。いくつかの実施形態では、プライバシーの制御は、サーバによって、ＷｉＦｉ（登録商標）またはＢｌｕｅｔｏｏｔｈ（登録商標）ＡＰなどのクラウドソーシングのいくつかのソースを暫定であるとして指定することによって可能になり得る。暫定であるとして指定されたソースに遭遇するモバイルデバイスは、ソースのためのクラウドソーシングの許可されたタイプおよび／または許可されないタイプに関する情報についてサーバに問い合わせ得る。サーバは、ソースのためのクラウドソーシングの許可されたレベルの指示を戻し、モバイルデバイスは、次いで、クラウドソーシングを実行するか、またはそれを実行するのを控えるためにこれを使用し得る。【選択図】  図２
2017533486.tif 000002
【特許請求の範囲】
【請求項１】
サーバデバイスにおいて、クラウドソーシング観測値を取得するための候補として少なくとも１つのソースを識別する第１のメッセージをモバイルデバイスから受信することと、
前記少なくとも１つのソースのために許可される観測値のレベルを決定することと、
前記許可されたレベルを示す第２のメッセージを前記モバイルデバイスに送信することと
を備える方法。
【請求項２】
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、ネットワーク事業者の識別情報、ベニューの識別情報、あるタイプのフェムトセル、またはそれらの任意の組合せのうちの少なくとも１つを使用して前記少なくとも１つのソースを識別する、請求項１に記載の方法。
【請求項３】
前記第１のメッセージを受信するより前に前記モバイルデバイスに第３のメッセージを送信すること、前記第３のメッセージが、前記クラウドソーシング観測値を取得するための暫定ソースとして前記少なくとも１つのソースを指定する、
をさらに備える、請求項１に記載の方法。
【請求項４】
データベースに第４のメッセージを送信することと、前記第４のメッセージが、前記少なくとも１つのソースに関係するプライバシー情報についての要求を備える、
前記プライバシー情報を備える前記データベースから第５のメッセージを受信することと、ここにおいて、前記少なくとも１つのソースのために許可される観測値の前記レベルを前記決定することが、前記第５のメッセージ中の前記プライバシー情報に少なくとも部分的に基づく、
をさらに備える、請求項１に記載の方法。
【請求項５】
前記少なくとも１つのソースに関係する追加情報についての要求を備える第６のメッセージを前記モバイルデバイスに送信することと、
前記追加情報を備える第７のメッセージを受信することと、ここにおいて、前記少なくとも１つのソースのために許可される観測値の前記レベルを前記決定することが、前記第７のメッセージ中の前記追加情報に少なくとも部分的に基づく、ここにおいて、前記第６のメッセージが、前記第１のメッセージを受信した後に送られる、
をさらに備える、請求項１に記載の方法。
【請求項６】
前記第７のメッセージ中の前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、ネットワーク事業者の識別情報、ベニューの識別情報、またはそれらの任意の組合せのうちの少なくとも１つを備える、請求項５に記載の方法。
【請求項７】
前記少なくとも１つのソースが、ＩＥＥＥ８０２．１１  Ｗｉ−Ｆｉ（登録商標）アクセスポイント、Ｂｌｕｅｔｏｏｔｈ（登録商標）アクセスポイント、Ｂｌｕｅｔｏｏｔｈ  Ｌｏｗ  Ｅｎｅｒｇｙ（ＢＴＬＥ）アクセスポイント、ＬＴＥフェムトセル、地理的エリア、またはそれらの任意の組合せのうちの少なくとも１つを備える、請求項１に記載の方法。
【請求項８】
前記少なくとも１つのソースが、媒体アクセス制御（ＭＡＣ）アドレス、セルグローバル識別子、ロケーション、またはそれらの任意の組合せのうちの少なくとも１つを介して識別される、請求項１に記載の方法。
【請求項９】
前記サーバデバイスが、セキュアユーザプレーンロケーション（ＳＵＰＬ）ロケーションプラットフォーム（ＳＬＰ）を備える、請求項１に記載の方法。
【請求項１０】
前記第１のメッセージと前記第２のメッセージとが、ＳＵＰＬセッション、ＬＴＥ測位プロトコル（ＬＰＰ）、ＬＰＰ拡張（ＬＰＰｅ）プロトコル、またはそれらの任意の組合せのうちの少なくとも１つを使用して送信される、請求項１に記載の方法。
【請求項１１】
クラウドソーシング観測値を取得するための候補として少なくとも１つのソースを識別する第１のメッセージをモバイルデバイスから受信するための手段と、
前記少なくとも１つのソースのために許可される観測値のレベルを決定するための手段と、
前記許可されたレベルを示す第２のメッセージを前記モバイルデバイスに送信するための手段と
を備える装置。
【請求項１２】
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを使用して前記少なくとも１つのソースを識別する、請求項１１に記載の装置。
【請求項１３】
前記第１のメッセージを受信するより前に前記モバイルデバイスに第３のメッセージを送信するための手段、前記第３のメッセージが、前記クラウドソーシング観測値を取得するための暫定ソースとして前記少なくとも１つのソースを指定する、
をさらに備える、請求項１１に記載の装置。
【請求項１４】
データベースに第４のメッセージを送信するための手段と、前記第４のメッセージが、前記少なくとも１つのソースに関係するプライバシー情報についての要求を備える、
前記プライバシー情報を備える前記データベースから第５のメッセージを受信するための手段と、ここにおいて、前記少なくとも１つのソースのために許可される観測値の前記レベルを前記決定することが、前記第５のメッセージ中の前記プライバシー情報に少なくとも部分的に基づく、
をさらに備える、請求項１３に記載の装置。
【請求項１５】
前記少なくとも１つのソースに関係する追加情報についての要求を備える第６のメッセージを前記モバイルデバイスに送信するための手段と、
前記追加情報を備える第７のメッセージを受信するための手段と、ここにおいて、前記少なくとも１つのソースのために許可される観測値の前記レベルを前記決定することが、前記第７のメッセージ中の前記追加情報に少なくとも部分的に基づく、ここにおいて、前記第６のメッセージが、前記第１のメッセージを受信した後に送られる、
をさらに備える、請求項１４に記載の装置。
【請求項１６】
前記第７のメッセージ中の前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを備える、請求項１５に記載の装置。
【請求項１７】
電子通信ネットワークと通信するためのワイヤレストランシーバと、
メモリに結合され、
クラウドソーシング観測値を取得するための候補として少なくとも１つのソースを識別する第１のメッセージをモバイルデバイスから受信することと、
前記少なくとも１つのソースのために許可される観測値のレベルを決定することと、
前記許可されたレベルを示す第２のメッセージを前記モバイルデバイスに送信することと
を行うように構成された１つまたは複数のプロセッサと
を備える装置。
【請求項１８】
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを使用して前記少なくとも１つのソースを識別する、請求項１７に記載の装置。
【請求項１９】
前記１つまたは複数のプロセッサがさらに、
前記第１のメッセージを受信するより前に前記モバイルデバイスに第３のメッセージを送信すること、前記第３のメッセージが、前記クラウドソーシング観測値を取得するための暫定ソースとして前記少なくとも１つのソースを指定する、
を行うように構成された、請求項１７に記載の装置。
【請求項２０】
前記１つまたは複数のプロセッサがさらに、
データベースに第４のメッセージを送信することと、前記第４のメッセージが、前記少なくとも１つのソースに関係するプライバシー情報についての要求を備える、
前記プライバシー情報を備える前記データベースから第５のメッセージを受信することと、ここにおいて、前記少なくとも１つのソースのために許可される観測値の前記レベルを前記決定することが、前記第５のメッセージ中の前記プライバシー情報に少なくとも部分的に基づく、
を行うように構成された、請求項１９に記載の装置。
【請求項２１】
前記１つまたは複数のプロセッサがさらに、
前記少なくとも１つのソースに関係する追加情報についての要求を備える第６のメッセージを前記モバイルデバイスに送信することと、
前記追加情報を備える第７のメッセージを受信することと、ここにおいて、前記少なくとも１つのソースのために許可される観測値の前記レベルを前記決定することが、前記第７のメッセージ中の前記追加情報に少なくとも部分的に基づく、ここにおいて、前記第６のメッセージが、前記第１のメッセージを受信した後に送られる、
を行うように構成された、請求項２０に記載の装置。
【請求項２２】
前記第７のメッセージ中の前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを備える、請求項２１に記載の装置。
【請求項２３】
クラウドソーシング観測値を取得するための候補として少なくとも１つのソースを識別する第１のメッセージをモバイルデバイスから受信することと、
前記少なくとも１つのソースのために許可される観測値のレベルを決定することと、
前記許可されたレベルを示す第２のメッセージを前記モバイルデバイスに送信することと
を行うためにプロセッサによって実行可能な命令を有する非一時的記憶媒体
を備える物品。
【請求項２４】
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、ネットワーク事業者の識別情報、ベニューの識別情報、あるタイプのフェムトセル、またはそれらの任意の組合せのうちの少なくとも１つを使用して前記少なくとも１つのソースを識別する、請求項２３に記載の物品。
【請求項２５】
モバイルデバイスにおいて、クラウドソーシング観測値を取得するための候補として少なくとも１つのソースを識別する第１のメッセージを送信することと、
前記少なくとも１つのソースのために許可される前記クラウドソーシング観測値のレベルを示す第２のメッセージを受信することと
を備える方法。
【請求項２６】
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、ネットワーク事業者の識別情報、ベニューの識別情報、あるタイプのフェムトセル、またはそれらの任意の組合せのうちの少なくとも１つを使用して前記少なくとも１つのソースを識別する、請求項２５に記載の方法。
【請求項２７】
前記第１のメッセージを送信するより前に第３のメッセージを受信すること、前記第３のメッセージが、前記クラウドソーシング観測値を取得するための暫定ソースとして前記少なくとも１つのソースを指定する、
をさらに備える、請求項２５に記載の方法。
【請求項２８】
前記少なくとも１つのソースに関係する追加情報についての要求を備える第４のメッセージを受信することと、
前記追加情報を備える第５のメッセージを送信することと、前記第４のメッセージが、前記第１のメッセージを送信した後に、前記第２のメッセージを受信する前に受信される、
をさらに備える、請求項２５に記載の方法。
【請求項２９】
前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、ネットワーク事業者の識別情報、ベニューの識別情報、またはそれらの任意の組合せのうちの少なくとも１つを備える、請求項２８に記載の方法。
【請求項３０】
前記少なくとも１つのソースが、ＩＥＥＥ８０２．１１  Ｗｉ−Ｆｉアクセスポイント、Ｂｌｕｅｔｏｏｔｈアクセスポイント、Ｂｌｕｅｔｏｏｔｈ  Ｌｏｗ  Ｅｎｅｒｇｙ（ＢＴＬＥ）アクセスポイント、ＬＴＥフェムトセル、地理的エリア、またはそれらの任意の組合せのうちの少なくとも１つを備える、請求項２５に記載の方法。
【請求項３１】
前記少なくとも１つのソースが、媒体アクセス制御（ＭＡＣ）アドレス、セルグローバル識別子、ロケーション、またはそれらの任意の組合せのうちの少なくとも１つを介して識別される、請求項２５に記載の方法。
【請求項３２】
前記モバイルデバイスが、セキュアユーザプレーンロケーション（ＳＵＰＬ）対応端末（ＳＥＴ）を備える、請求項２５に記載の方法。
【請求項３３】
前記第１のメッセージと前記第２のメッセージとが、ＳＵＰＬセッション、ＬＴＥ測位プロトコル（ＬＰＰ）、ＬＰＰ拡張（ＬＰＰｅ）プロトコル、またはそれらの任意の組合せのうちの少なくとも１つを使用して送信される、請求項２５に記載の方法。
【請求項３４】
クラウドソーシング観測値を取得するための候補として少なくとも１つのソースを識別する第１のメッセージを送信するための手段と、
前記少なくとも１つのソースのために許可される前記クラウドソーシング観測値のレベルを示す第２のメッセージを受信するための手段と
を備える装置。
【請求項３５】
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを使用して前記少なくとも１つのソースを識別する、請求項３４に記載の装置。
【請求項３６】
前記第１のメッセージを受信するより前に第３のメッセージを受信するための手段、ここにおいて、前記第３のメッセージが、前記クラウドソーシング観測値を取得するための暫定ソースとして前記少なくとも１つのソースを指定する、
をさらに備える、請求項３４に記載の装置。
【請求項３７】
前記少なくとも１つのソースに関係する追加情報についての要求を備える第４のメッセージを受信するための手段と、
前記追加情報を備える第５のメッセージを送信するための手段と、ここにおいて、前記第４のメッセージが、前記第１のメッセージを送信した後に、前記第２のメッセージを受信する前に受信される、
をさらに備える、請求項３６に記載の装置。
【請求項３８】
前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを備える、請求項３７に記載の装置。
【請求項３９】
電子通信ネットワークと通信するためのワイヤレストランシーバと、
メモリに結合され、
クラウドソーシング観測値を取得するための候補として少なくとも１つのソースを識別する第１のメッセージを送信することと、
前記少なくとも１つのソースのために許可される前記クラウドソーシング観測値のレベルを示す第２のメッセージを受信することと
を行うように構成された１つまたは複数のプロセッサと
を備えるモバイルデバイス。
【請求項４０】
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを使用して前記少なくとも１つのソースを識別する、請求項３９に記載のモバイルデバイス。
【請求項４１】
前記１つまたは複数のプロセッサがさらに、
前記第１のメッセージを受信するより前に第３のメッセージを受信すること、ここにおいて、前記第３のメッセージが、前記クラウドソーシング観測値を取得するための暫定ソースとして前記少なくとも１つのソースを指定する、
を行うように構成された、請求項３９に記載のモバイルデバイス。
【請求項４２】
前記１つまたは複数のプロセッサがさらに、
前記少なくとも１つのソースに関係する追加情報についての要求を備える第４のメッセージを受信することと、
前記追加情報を備える第５のメッセージを送信することと、ここにおいて、前記第４のメッセージが、前記第１のメッセージを送信した後に、前記第２のメッセージを受信する前に受信される、
を行うように構成された、請求項４１に記載のモバイルデバイス。
【請求項４３】
前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを備える、請求項４２に記載のモバイルデバイス。
【請求項４４】
モバイルデバイスにおいて、クラウドソーシング観測値を取得するための候補として少なくとも１つのソースを識別する第１のメッセージを送信することと、
前記少なくとも１つのソースのために許可される前記クラウドソーシング観測値のレベルを示す第２のメッセージを受信することと
を行うためにプロセッサによって実行可能な命令を有する非一時的記憶媒体
を備える物品。
【請求項４５】
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、ネットワーク事業者の識別情報、ベニューの識別情報、あるタイプのフェムトセル、またはそれらの任意の組合せのうちの少なくとも１つを使用して前記少なくとも１つのソースを識別する、請求項４４に記載の物品。
【発明の詳細な説明】
【技術分野】
【０００１】
関連出願
本ＰＣＴ出願は、その全体が参照により本明細書に組み込まれる、２０１４年８月１１日に出願された、「Ｍｅｔｈｏｄ  ａｎｄ／ｏｒ  Ｓｙｓｔｅｍ  ｆｏｒ  Ｅｎａｂｌｉｎｇ  Ｐｒｉｖａｃｙ  ｆｏｒ  Ｃｒｏｗｄｓｏｕｒｃｉｎｇ」と題する米国仮特許出願番号第６２／０３５，９９６号および、２０１５年８月１０日に出願された、「Ｍｅｔｈｏｄｓ  ａｎｄ  Ｓｙｓｔｅｍｓ  ｆｏｒ  Ｅｎａｂｌｉｎｇ  Ｃｏｎｔｒｏｌ  ｏｆ  Ｐｒｉｖａｃｙ  ｆｏｒ  Ｃｒｏｗｄｓｏｕｒｃｉｎｇ」と題する米国非仮特許出願番号第１４／８２２，７４５号の利益と優先権とを主張する。
【０００２】
[0001]本開示は、一般に、モバイル通信デバイスの位置またはロケーション推定に関し、より詳細には、クラウドソーシングのためのプライバシーの制御を可能にすることに関する。
【背景技術】
【０００３】
[0002]モバイル通信デバイス、たとえば、携帯電話、ポータブルナビゲーションユニット、ラップトップコンピュータ、携帯情報端末などが、より日常的になってきている。たとえば、ロケーションアウェアセルラー電話、スマート電話などのいくつかのモバイル通信デバイスは、それらの地理的または都市ロケーションの推定を可能にすることによってユーザを支援し得る。たとえば、屋外環境では、いくつかのモバイル通信デバイスは、全地球測位システム（ＧＰＳ：global positioning system）もしくはグローバルナビゲーション衛星システム（ＧＮＳＳ：Global Navigation Satellite System）といった他のシステムなどの衛星測位システム（ＳＰＳ：satellite positioning system）から、またはワイヤレス通信ネットワークに属するセルラー基地局からワイヤレス信号を収集し、測定することによって、それらの地理的ロケーションの推定値またはいわゆる「位置フィックス」を取得し得る。たとえば、高度順方向リンク三辺測量（ＡＦＬＴ：Advanced Forward Link Trilateration）および観測到着時間差（ＯＴＤＯＡ：Observed Time Difference Of Arrival）などの位置決め方法は、モバイルデバイスによってセルラー基地局から受信された信号の測定値からモバイルデバイスのロケーションを決定するために使用され得る。
【０００４】
[0003]屋内環境では、いくつかのモバイル通信デバイスは、モバイルデバイスの正確なロケーションを容易にするかまたはサポートするために衛星信号またはセルラー基地局からの信号を確実に受信するかまたは収集することができないことがある。モバイルデバイスの位置は、次いで、他のシステムから収集された情報に部分的に基づいて推定され得る。１つのそのようなシステムは、たとえば、ＷｉＦｉ（登録商標）アクセスポイント（ＡＰ）、（本明細書ではアクセスポイントまたはＡＰとも呼ばれる）Ｂｌｕｅｔｏｏｔｈ（登録商標）ビーコン、Ｂｌｕｅｔｏｏｔｈ  Ｌｏｗ  Ｅｎｅｒｇｙ（ＢＴＬＥ）ビーコンまたはＡＰ、ホーム基地局またはフェムトセルなどのいくつかのワイヤレスアクセスポイントを備えるワイヤレスローカルアクセスネットワーク（ＷＬＡＮ）通信システムを備え得る。モバイルデバイスの位置推定値は、次いで、ラウンドトリップ信号伝搬時間（ＲＴＴ：round trip signal propagation time）の測定値、受信信号強度指示（ＲＴＴ：received signal strength indication）の測定値、コード位相差の測定値、到着時間（ＴＯＡ：time of arrival）の測定値、到着時間差（ＴＤＯＡ：time difference of arrival）の測定値、または１つもしくは複数のワイヤレスアクセスポイント、フェムトセルなどとの通信を通して取得される他の測定値を含むＷＬＡＮ中の１つまたは複数のアクセスポイント、フェムトセルなどによって送信された無線周波（ＲＦ）信号のモバイルデバイスによって行われた測定を使用して取得され得る。位置推定値は、モバイルデバイスによって取得された測定値に三辺測量、マルチラテレーション（multilateration）、ＲＦパターンマッチングなどの１つまたは複数の測位技法を適用することによって決定され得る。
【０００５】
[0004]位置推定値の決定は、それらのロケーション、送信電力、送信タイミング、異なるロケーションにおいて受信可能なＲＦ信号出力などの測定されたＡＰおよびホーム基地局についての情報によって支援され得る。場合によっては、測定されたＡＰおよびフェムトセルについての情報の一部または全部は、１つまたは複数の中央サーバに可視のＡＰおよびホーム基地局についての測定値および／または他の情報をクラウドソーシングする多数のモバイルデバイスから過去の時点に取得され得る。ただし、クラウドソーシングを実行するモバイルデバイスは、いくつかのＡＰおよびホーム基地局の場合はプライバシーをサポートする必要があり、いかなる情報もクラウドソーシングしないか、または選択された情報のみ（たとえば、ＡＰの送信特性ではなくそれの識別情報および近似ロケーション）をクラウドソーシングする必要があり得る。プライバシーのサポートは、場合によっては、規制または他の法的後ろ盾を有し得、ならびに／またはモバイルデバイスのためのいくつかのベンダーおよび／もしくは事業者によって随意にサポートされ得る。（たとえば、写真を介して視覚情報を収集すること、またはサウンドクリップを介して音響情報を収集することに基づく）他のタイプのクラウドソーシングは、同様のタイプのプライバシー要件の対象となり得る。しかしながら、特定のＡＰおよびホーム基地局について何のプライバシー要件が観測される必要があり得るのか、たとえば、どのＡＰおよびホーム基地局のためにモバイルデバイスがクラウドソーシングを実行するのを控えるべきであるのかを、クラウドソーシングを実行することが可能であるモバイルデバイスにとって明快でないことがある。すなわち、モバイルデバイスからクラウドソーシングを実行するときにプライバシーのサポートと制御とを可能にすることに利益があり得る。
【０００６】
[0005]以下の図を参照しながら非限定的で非網羅的な態様について説明し、別段に規定されていない限り、様々な図および以下の説明にわたって、同様の参照番号は、同様の要素、同様の構成要素または同様の部分を指す。
【図面の簡単な説明】
【０００７】
【図１】[0006]例示的な動作環境の実装形態に関連する特徴を示す概略図。
【図２】[0007]クラウドソーシングのためのプライバシーの制御を可能にするための技法を容易にするかまたはサポートし得るメッセージ交換プロセスの実装形態を示すメッセージフロー図。
【図３】[0008]クラウドソーシングのためのプライバシーの制御を可能にするための例示的なプロセスの実装形態を示す流れ図。
【図４】[0009]クラウドソーシングのための制御プライバシーを可能にするための例示的なプロセスの別の実装形態を示す流れ図。
【図５】[0010]モバイルデバイスに関連する例示的なコンピューティング環境の実装形態を示す概略図。
【図６】[0011]サーバに関連する例示的なコンピューティング環境の実装形態を示す概略図。
【発明の概要】
【０００８】
[0012]例示的な実装形態は、クラウドソーシングのためのプライバシーの制御を可能にするための技法に関する。一実装形態では、方法は、サーバデバイスにおいて、クラウドソーシング観測値を取得するための候補として少なくとも１つのソースを識別する第１のメッセージをモバイルデバイスから受信することと、少なくとも１つのソースのために許可される観測値のレベルを決定することと、許可されたレベルを示す第２のメッセージをモバイルデバイスに送信することとを備え得る。
【０００９】
[0013]別の実装形態では、装置はクラウドソーシング観測値を取得するための候補として少なくとも１つのソースを識別する第１のメッセージをモバイルデバイスから受信するための手段と、少なくとも１つのソースのために許可される観測値のレベルを決定するための手段と、許可されたレベルを示す第２のメッセージをモバイルデバイスに送信するための手段とを備え得る。
【００１０】
[0014]また別の実装形態では、装置は、電子通信ネットワークと通信するためのワイヤレストランシーバと、メモリに結合され、クラウドソーシング観測値を取得するための候補として少なくとも１つのソースを識別する第１のメッセージをモバイルデバイスから受信することと、少なくとも１つのソースのために許可される観測値のレベルを決定することと、許可されたレベルを示す第２のメッセージをモバイルデバイスに送信することとを行うように構成された１つまたは複数のプロセッサとを備え得る。
【００１１】
[0015]また別の実装形態では、物品は、クラウドソーシング観測値を取得するための候補として少なくとも１つのソースを識別する第１のメッセージをモバイルデバイスから受信することと、少なくとも１つのソースのために許可される観測値のレベルを決定することと、許可されたレベルを示す第２のメッセージをモバイルデバイスに送信することとを行うためにプロセッサによって実行可能な命令を有する非一時的記憶媒体を備え得る。
【００１２】
[0016]また別の実装形態では、方法は、モバイルデバイスにおいて、クラウドソーシング観測値を取得するための候補として少なくとも１つのソースを識別する第１のメッセージを送信することと、少なくとも１つのソースのために許可されるクラウドソーシング観測値のレベルを示す第２のメッセージを受信することとを備え得る。
【００１３】
[0017]また別の実装形態では、装置は、クラウドソーシング観測値を取得するための候補として少なくとも１つのソースを識別する第１のメッセージを送信するための手段と、少なくとも１つのソースのために許可されるクラウドソーシング観測値のレベルを示す第２のメッセージを受信するための手段とを備え得る。
【００１４】
[0018]また別の実装形態では、モバイルデバイスは、電子通信ネットワークと通信するためのワイヤレストランシーバと、メモリに結合され、クラウドソーシング観測値を取得するための候補として少なくとも１つのソースを識別する第１のメッセージを送信することと、少なくとも１つのソースのために許可されるクラウドソーシング観測値のレベルを示す第２のメッセージを受信することとを行うように構成された１つまたは複数のプロセッサとを備え得る。
【００１５】
[0019]また別の実装形態では、物品は、モバイルデバイスにおいて、クラウドソーシング観測値を取得するための候補として少なくとも１つのソースを識別する第１のメッセージを送信することと、少なくとも１つのソースのために許可されるクラウドソーシング観測値のレベルを示す第２のメッセージを受信することとを行うためにプロセッサによって実行可能な命令を有する非一時的記憶媒体を備え得る。ただし、これらは例示的な実装形態にすぎず、特許請求する主題はこれらの特定の実装形態に限定されないことを理解されたい。
【発明を実施するための形態】
【００１６】
[0020]以下の詳細な説明では、請求する主題の完全な理解を与えるために多数の具体的な詳細が記載される。ただし、請求する主題は、これらの具体的な詳細を伴わず実施され得ることが当業者には理解されよう。他の例では、請求する主題を不明瞭にしないように、当業者には既知であろう方法、装置、またはシステムは、詳細に説明されていない。
【００１７】
[0021]クラウドソーシングのためのプライバシーの制御を可能にするための１つまたは複数の動作または技法を容易にするかまたはサポートするために、全体的にまたは部分的に実装され得る例示的な方法、装置、および／または製造品について本明細書で開示される。このコンテキストでは、「クラウドソーシング」または同様の用語は、たとえば、関心領域を移動するおよび／またはそこの内に位置する間に、近くのモバイル通信デバイスを介してなどで、１つまたは複数のエージェント、クライアント、またはユーザによって信号関連の測定値またはアクセスポイント（ＡＰ）およびホーム基地局などの通信エンティティに関係する他の情報を観測、測定、収集、生成、通信するなどのプロセスを指すことがある。「エージェント」、「ユーザ」、または「クライアント」という用語は、本明細書では互換的に使用され得、１つまたは複数のクラウドソーシング動作または技法を容易にし得るかまたはサポートし得る人、デバイス、またはアプリケーションを指すことがある。いくつかの例では、クラウドソーシングされるデータは、たとえば、受信信号強度指示（ＲＳＳＩ：received signal strength indication）関連の測定値、ラウンドトリップ信号伝搬時間（ＲＴＴ）関連の測定値、信号対雑音比（Ｓ／Ｎ：signal to noise ratio）関連の測定値、離脱角（ＡＯＤ：angle of departure）関連の測定値、到来角（ＡＯＡ）関連の測定値、到着時間（ＴＯＡ：time of arrival）関連の測定値、および（たとえば、基準信号時間差（ＲＳＴＤ：reference signal time difference）測定値などの）観測到着時間差（ＯＴＤＯＡ：Observed Time Difference of Arrival）関連の測定値など、検出されたワイヤレス信号のタイミングおよび／またはシグナリング特性を示す１つまたは複数のアクセスポイント、ホーム基地局、フェムトセルなどのワイヤレス送信の測定値を含み得る。
【００１８】
[0022]クラウドソーシングされるデータはまた、ＡＰまたはフェムトセルによってブロードキャストまたは別の方法で送信されるとき、識別情報またはアドレス（たとえば、ＢｌｕｅｔｏｏｔｈもしくはＷｉＦｉ  ＡＰの場合は４８ビット媒体アクセス制御（ＭＡＣ）アドレスまたはフェムトセルもしくはホーム基地局の場合はセルグローバル識別情報）あるいはＡＰまたはフェムトセルのロケーション座標または都市ロケーションなど、測定を実行することなしに検出または別の方法で取得され得る情報を含み得る。クラウドソーシングされるデータは、さらに、ＡＰおよびフェムトセルから受信された信号の測定値からモバイルデバイスによって、またはその測定値がモバイルデバイスによってクラウドソーシングされるサーバによって決定され得る情報を含み得る。そのような決定された情報は、ＡＰおよびフェムトセルのロケーション、送信電力および送信タイミングなどの送信特性、ＡＰおよびフェムトセルの無線カバレージエリア、ならびに特定のＡＰまたはフェムトセルについて、ＡＰまたはフェムトセルのカバレージエリア内で１メートル間隔で離間されたポイントのグリッド中の各ポイントにおけるなど、いくつかの異なるロケーションにおける、（たとえば、ＲＳＳＩ、ＲＴＴまたはＳ／Ｎのための）測定または予想された信号特徴を与える無線ヒートマップを含み得る。以下で説明するように、時々、クラウドソーシングされる測定値および他のクラウドソーシングされる情報は、たとえば、何らかの方法で（たとえば、サーバにおいてなど）処理され得、モバイルデバイスがそれらのロケーションを決定するのを支援するために測位支援データの一部としてモバイルデバイスに与えられ得、および／またはサーバがいくつかのモバイルデバイスのロケーションを決定するのを支援するためにサーバによって保持され得る。
【００１９】
[0023]モバイルデバイスは、モバイル通信デバイス、クラウドソーシングデバイス、ロケーションアウェアモバイルデバイス、ユーザ機器（ＵＥ）、移動局（ＭＳ）、ワイヤレス端末、端末、モバイル端末と呼ばれるか、または、何らかの他の名前で呼ばれることがあり、ワイヤレスおよび／またはワイヤライン通信をサポートする任意の種類の専用コンピューティングデバイスおよび／または装置を指すことがあり、ロケーションを潜在的に変更することが可能である。いくつかの事例では、モバイルデバイスは、たとえば、１つまたは複数の通信プロトコルに従う情報のワイヤレス送信および／または受信を通して、モバイルまたはそれ以外の他のデバイスと通信することが可能であり得る。実例として、モバイルデバイスは、たとえば、セルラーフォン、スマートフォン、携帯情報端末（ＰＤＡ）、ラップトップコンピュータ、パーソナルエンターテインメントシステム、タブレットパーソナルコンピュータ（ＰＣ）、パーソナルオーディオまたはビデオデバイス、パーソナルナビゲーションデバイス、スマート時計、無線ヒートマップ生成ツールなどを含み得る。ただし、これらは、少なくとも部分的に、クラウドソーシングのためのプライバシーの制御を可能にするための１つまたは複数の動作または技法を実装するために使用され得るモバイルデバイスの例にすぎず、請求する主題はこの点について限定されないことを諒解されたい。
【００２０】
[0024]「位置」、「位置フィックス」、「位置推定値」、「ロケーション」、「ロケーションフィックス」、「ロケーション推定値」という用語は、本明細書では互換的に使用され得る。ロケーションは、地理的手段を介して、地球の表面の上または近くのどこかのポイント、エリアまたはボリュームを指定する地理的ロケーションを指すことがある（たとえば、緯度、経度および場合によっては高度を備え得る）。ロケーションは、同じくまたは代わりに、所在地住所、郵便宛先、建築物もしくは建築物の一部（たとえば、建築物中の部屋、スイートもしくはアパート）の指定、町もしくは都市の一部、または地球の表面の上もしくは近くのポイント、エリアもしくはボリュームを同じく示す何らかの他の情報を備え得る都市ロケーションを指すことがある。
【００２１】
[0025]フェムトセル、スモールセルおよびホーム基地局という用語は、本明細書では、特定のネットワークのための多くもしくはすべてのワイヤレスユーザをサポートするか、または（たとえば、特定のオフィス、家屋もしくはアパートに関連するユーザなど）ただ１人もしくは数人のユーザをサポートするかのいずれかである、限られたＲＦカバレージ（たとえば、５０〜２００メートル）をもつセルラー基地局を指すために互換的に使用される。スモールセル、フェムトセルおよびホーム基地局の例としては、ＬＴＥ（登録商標）をサポートするホームｅノードＢおよびＷＣＤＭＡ（登録商標）をサポートするホームノードＢがあり得る。
【００２２】
[0026]以前に言及したように、屋内環境または同様の部分的にまたは実質的に囲まれたエリア（たとえば、ビルの谷間）では、いくつかのモバイルデバイスは、１つまたは複数の位置推定技法を容易にするかまたはサポートするのに十分な衛星信号および／またはセルラー基地局からの信号を確実に受信または収集することができないことがある。たとえば、ＧＰＳ、ＧｌｏｎａｓｓもしくはＧａｌｉｌｅｏなどの衛星測位システム（ＳＰＳ）からの信号またはセルラー基地局からの信号は、モバイルデバイスによる正確な測位関連の測定を防げるかまたは劣化させるのに十分なほど減衰され得るか、またはマルチパス効果を受け得る。そのような場合、モバイルデバイスは、屋内または部分的に囲まれた環境に適合する測位方法を使用して位置フィックスを取得し得る。そのような位置決め方法の例としては、知られているロケーションに位置する３つ以上の短距離ワイヤレス送信機（たとえば、ＷｉＦｉアクセスポイント、ホーム基地局、フェムトセルなど）までの距離を測定することがあり得る。距離は、ＲＳＳＩ、ＲＴＴまたはＳ／Ｎなど、受信信号の１つまたは複数の特性を測定することによって取得され得る。代替的にまたは追加として、ワイヤレス送信機との間の角度が測定され得る（たとえば、ＡＯＡまたはＡＯＤ）。測定された送信機の識別情報も（たとえば、送信機から受信された信号から）取得され得、これは、ＷｉＦｉもしくはＢｌｕｅｔｏｏｔｈ  ＡＰの場合は媒体アクセス制御（ＭＡＣ）アドレスを、またはフェムトセルもしくはホーム基地局の場合は（グローバルセル識別情報またはグローバルセルＩＤとも呼ばれる）セルグローバル識別情報を備え得る。測定された送信機の識別情報は、測定された送信機のロケーションを（たとえば、事前構成されたデータ中で）ルックアップするために（たとえば、モバイルデバイスによって、またはサーバによって）使用され得、その後、決定された距離および／または角度とワイヤレス送信機のロケーションとを使用してモバイルデバイスのロケーションを決定するためにマルチラテレーション、三辺測量または三角測量などの技法が使用され得る。
【００２３】
[0027]同じく示したように、時々、屋内ナビゲーションシステム（たとえば、ロケーションサーバ）は、ロケーション決定サービスを容易にするかまたはサポートするためにモバイルデバイスに測位支援データを選択的に与え得る。たとえば、そのような測位支援データは、たとえば、モバイルデバイスの近くのワイヤレス送信機の識別情報を与えることによってワイヤレス送信機（たとえば、アクセスポイントなど）からの信号の測定を容易にするための情報と、各ワイヤレス送信機がサポートするワイヤレス技術およびそれの送信電力および送信タイミングなどのそれの送信特性に関する情報とを含み得る。いくつかの例では、測位支援データは、同じくまたは代わりに、ワイヤレス送信機からの信号の測定値からモバイルデバイスがそれのロケーションを決定することを可能にするために、ワイヤレス送信機の知られているロケーションおよび／またはワイヤレス送信機のカバレージエリアなどの情報を含み得る。さらにまたは代わりに、支援データは、互いから知られている距離で（たとえば、１メートル間隔で）離間したグリッドポイントのセット中の各グリッドポイントにあるなど、異なる知られているロケーションにあるワイヤレス送信機のための１つまたは複数の信号特徴（たとえば、ＲＳＳＩ、ＲＴＴまたはＳ／Ｎ）の期待値を示すワイヤレス送信機についての無線ヒートマップまたは「フィンガープリント（fingerprint）」データを含み得、これは、モバイルデバイスが、ＲＦパターンマッチング技法の使用を介して異なるワイヤレス送信機のための信号測定値を特定のロケーションに関連付けるのを支援し得る。
【００２４】
[0028]いくつかの例では、測位支援データは、屋内または同様の環境のための電子デジタルマップを含み得る。電子デジタルマップは、たとえば、モバイルデバイスが特定の屋内のもしくは同様のエリア（たとえば、ショッピングモールなど）に入ったとき、モバイルデバイスもしくはモバイルデバイスのユーザによる要求時に、またはモバイルデバイス上で動作する特定のサービスもしくはアプリケーションをサポートするために、モバイルデバイスへと好適なサーバによって与えられ得る。電子デジタルマップは、たとえば、ドア、廊下、階段、エレベータ、壁などの建築物、ベニュー（venue）、またはベニューもしくは建築物内のエリアの屋内特徴、ならびに化粧室、店舗、部屋、入口、公衆電話などの関心地点（ＰＯＩ）を備える間取り図またはレイアウトを含み得る。いくつかの事例では、電子デジタルマップは、たとえば、ユニフォームリソースロケータ（ＵＲＬ：Uniform Resource Locator）の選択またはアクティブ化を介してなど、たとえば、モバイルデバイスによってアクセス可能であるか、または使用可能であるように好適なサーバに記憶され得る。関心領域のデジタルマップを有することによって、モバイルデバイスは、たとえば、関連するユーザまたはモバイルデバイス上のアプリケーションに何らかの関係するコンテキスト、基準系などを与えるためにエリアの表示されたマップ上にそれの現在ロケーションをオーバーレイすることが可能であり得る。
【００２５】
[0029]時々、屋内ナビゲーションシステムは、モバイルデバイスによって行われ、近くのアクセスポイント、フェムトセルおよびホーム基地局のサーバに与えられるロケーション測定値に少なくとも部分的に基づいて１つまたは複数のモバイルデバイスのロケーションを計算することが可能なロケーションサーバまたは同様のサーバを含み得る。測定値は、ＲＳＳＩ、ＲＴＴ、Ｓ／Ｎ、ＡＯＡ、ＴＯＡ、ＲＳＴＤなどの測定値を含み得、さらに、測定された各アクセスポイント、フェムトセルおよびホーム基地局についての識別情報またはアドレスを含み得る。ロケーション計算の一部として、サーバは、測定されたアクセスポイント、フェムトセルおよびホーム基地局の各々のための知られているロケーションおよび／または他の知られている特性（たとえば、送信電力、アンテナ利得、送信タイミングなど）を利用し得る。サーバは、次いで、モバイルデバイスのためのロケーションを決定するために、三辺測量、マルチラテレーション、三角測量などを伴う測位方法を採用し得る。サーバは、同じくまたは代わりに、ロケーションの長方形グリッド内で１メートル間隔で離間したロケーションにおいてなど、いくつかの異なる知られているロケーションにおいて測定された任意のアクセスポイント、フェムトセルまたはホーム基地局のためのもう１つのシグナリング特性の知られている値または期待値を与えるＲＦヒートマップを利用し得る。この場合、サーバは、モバイルデバイスのための最も可能性の高いロケーションを決定するためにＲＦパターンマッチングを採用し得る。測定されたアクセスポイント、フェムトセルおよびホーム基地局のためのモバイルデバイスのロケーションを決定するためにサーバによって使用される情報（たとえば、知られているロケーション、知られているシグナリング特性および／またはＲＦヒートマップ）は、過去における最近のある時期（たとえば、数週間から数ヶ月前）に、いくつか（たとえば数百または数千）のモバイルデバイスによってこれらの同じアクセスポイント、フェムトセルおよびホーム基地局についての情報のクラウドソーシングを少なくとも部分的に介して与えられていることがある。前に説明したように、モバイルデバイスによって与えられるクラウドソーシングされた情報は、アクセスポイント、フェムトセルおよびホーム基地局についてのそのような情報を収集するために使用され得、後で、他のモバイルデバイスの位置を特定するのに役立てるために使用され得る。
【００２６】
[0030]ロケーションサーバまたは他のサーバにクラウドソーシングされた情報を与える際に、クラウドソーシングされた情報が測定され収集されるときにクラウドソーシングされた情報を与えているモバイルデバイスのロケーションにクラウドソーシングされた情報を関連付けることは、時々、有用であるか、さらには必須であり得る。そのような場合、モバイルデバイスまたはサーバは、クラウドソーシングされているアクセスポイント、フェムトセルおよびホーム基地局の測定値に依存しないことがあるか、または完全には依存しないことがある独立した測位方法を使用してモバイルデバイスのロケーションを決定し得る。そのような独立した測位方法は、ＧＰＳ、支援型ＧＰＳ（Ａ−ＧＰＳ）、ＧＮＳＳ、支援型ＧＮＳＳ（Ａ−ＧＮＳＳ）、モバイルデバイス中に位置する慣性センサーもしくは他のセンサーの使用、サイト調査を介してロケーションが知られる基地局の測定値（たとえば、ＯＴＤＯＡのＲＳＴＤ値の測定値）またはクラウドソーシングに依存しない何らかの他の手段を含み得る。サーバにクラウドソーシングされる測定値を与えるモバイルデバイスの決定されたロケーションは、次いで、クラウドソーシングされる測定値が与えられるアクセスポイント、フェムトセルおよびホーム基地局についての情報を推論するのに役立てるために使用され得る。たとえば、ＲＳＳＩ、ＲＴＴ、Ｓ／Ｎ、ＡＯＡ、ＴＯＡ、ＲＳＴＤなど、信号特徴の、多数の（たとえば、数百個または数千個の）モバイルデバイスからのクラウドソーシングされる測定値が、特定のアクセスポイント、フェムトセルまたはホーム基地局のために、ならびに／またはいくつかの近くのアクセスポイント、フェムトセルおよびホーム基地局のために利用可能であるとき、サーバは、クラウドソーシングされる測定値を与えたモバイルデバイスの知られているロケーションに基づいて各アクセスポイント、フェムトセルまたはホーム基地局のための推定ロケーションまたは推定ロケーションエリア（たとえば、５０メートル以下の半径をもつそのような円）を取得するために、逆測位技法を採用し得る。同様に、サーバは、クラウドソーシングされる測定値から、送信電力および送信タイミングなど、アクセスポイント、フェムトセルおよびホーム基地局のための他の特性を推論し得、特定のアクセスポイント、フェムトセルまたはホーム基地局のカバレージエリア内の異なる知られているロケーションにあるモバイルデバイスによって作成されたアクセスポイント、フェムトセルまたはホーム基地局のための特定の測定値（たとえば、ＲＳＳＩまたはＲＴＴ）を使用してＲＦヒートマップを決定し得る。場合によっては、サーバは、ＡＰまたはフェムトセルのためのクラウドソーシング測定値をモバイルデバイスがまったく（またはほとんど）与えない（たとえば、ロケーションの長方形グリッド内の）ロケーションにあるＡＰまたはフェムトセルのための信号特徴を予測するために、補間および外挿技法を採用し得る。
【００２７】
[0031]示したように、いくつかのアクセスポイント、フェムトセルおよびホーム基地局についてサーバによって取得または計算された得られたＲＦヒートマップ、ロケーションならびに／または他の信号および送信特性は、その後、モバイルデバイスのロケーションを計算するためにロケーションサーバによって使用され得、ならびに／またはモバイルデバイスがアクセスポイントおよび／もしくはフェムトセルの測定値に少なくとも部分的に基づいてそれら自体のロケーションを決定するのを支援するためにモバイルデバイスに測位支援データとして与えられ得る。実装形態に応じて、測位支援データを計算すること、ワイヤレス送信機のロケーションを推定すること、または同様の処理が、少なくとも部分的に、モバイルデバイス、ロケーションサーバもしくは他のサーバ、またはそれらの任意の組合せ上で実行され得ることを諒解されたい。
【００２８】
[0032]本明細書で説明するように、クラウドソーシングは、モバイルデバイスによってワイヤレスネットワークに関する好適なデータを収集すること、および／またはサーバ（たとえば、ロケーションサーバなど）にデータを送ることを伴い得、ここで、多くのデバイスからのクラウドソーシングされるデータは、組み合わされ得、および／またはサーバがモバイルデバイスのロケーションを決定するのを支援するために後で使用され得、および／または測位のための支援としてモバイルデバイスに送られ得る。クラウドソーシングされるデータは、一般に、ワイヤレスセル、基地局、フェムトセル、ＷｉＦｉ  ＡＰ、Ｂｌｕｅｔｏｏｔｈ  ＡＰのアドレスおよび／または識別情報（たとえば、ＭＡＣアドレスまたはセルグローバル識別情報）とそれらの信号送信の測定値（たとえば、ＲＳＳＩ、ＲＴＴ、Ｓ／Ｎ、ＡＯＡ、ＴＯＡ、ＲＳＴＤなど）とを含み得る。同じく示したように、クラウドソーシングされるデータは、プライバシー、データ機密性などの理由のために、いく人かのユーザ、ネットワーク事業者、ネットワークマネージャ、ネットワークオーナーなどが収集、共有など行われないことを選好し得る情報を含み得る。たとえば、いく人かのユーザ、ネットワーク事業者などは、モバイルデバイスが、ワイヤレスセル、基地局、フェムトセル、ＷｉＦｉアクセスポイント、Ｂｌｕｅｔｏｏｔｈアクセスポイントのアドレスおよび／もしくは識別情報、ならびに／または、ＲＳＳＩ、ＲＴＴ、Ｓ／Ｎなど、信号送信のいくつかまたはすべての測定値をクラウドソースするのを控えることを選好し得る。
【００２９】
[0033]最近、ＡＰによってブロードキャストされるサービスセット識別子（ＳＳＩＤ：service set identifier）の最後に「ｎｏｍａｐ」指示を含めることによってＡＰについてのデータがクラウドソーシングされるべきでないことを示すことをＷｉＦｉ  ＡＰのプライベート（非営利）オーナーに可能にする規約がＧｏｏｇｌｅによって作成された。クラウドソーシングを制限する他の提案は、ＷｉＦｉ  ＡＰにＡＰからのビーコン送信中にフラグまたは値を含ませることになろう。これらのソリューションは、いくつかの点で制限され得る。一例として、いくつかのソリューションは、ＡＰによるアクティブサポートを必要とし得、したがって、レガシーＡＰに適用可能でないことがある。別の例として、いくつかのソリューションは、ある期間の間ＡＰが電源を失い、次いで、ユーザによる構成変更より前の状態にリセットされる場合、ユーザに不便でもあり、信頼できないこともあるユーザによるＡＰの構成を必要とし得る。また別の例として、いくつかのソリューションは、ＡＰから送信されたビーコンフレーム中の特定のフラグまたは値の認識など、クラウドソーシングデバイスサッチアモバイルデバイス（crowdsourcing devices such a mobile devices）からのアクティブサポートを必要とし得、これは、アクティブサポートの定義およびアクティブサポートに関する合意の前に設計されたデバイスによって実装されないものでないことがある。
【００３０】
[0034]一実施形態によれば、モバイルデバイスにおいてクラウドソーシングを実行することに関する決定は、サーバにおいて決定され得る。たとえば、サーバは、モバイルデバイスによって取得されるべきおよび／または取得されるべきでない観測のタイプ、そのような観測を取得することの周期性、報告間隔などを構成および／または誘発することを含めて、モバイルデバイスによる好適なクラウドソーシング観測を構成および／または誘発し得る。サーバは、あるあらかじめ決定された時間期間または与えられた時間期間（たとえば、１週間〜１年）にわたる使用のために１つまたは複数のモバイルデバイスに選好を送ることによって好適なクラウドソーシング観測を構成および／または誘発し得る。これにより、サーバは、１つまたは複数のモバイルデバイスによってクラウドソーシングがどのように実行されるかを制御することが可能になり得る。たとえば、サーバは、どのＡＰ、フェムトセルおよびホーム基地局についてモバイルデバイスが、クラウドソーシング測定値を取得し、取得しないことになるのかについて、クラウドソーシング測定値が許可されるＡＰ、フェムトセルおよびホーム基地局について制御し得、サーバは、さらに、どの特定の測定が許可されるのか（たとえば、ＲＳＳＩ、ＲＴＴ、Ｓ／Ｎ、ＡＯＡなどのうちのどれをモバイルデバイスが測定および報告することが許されるのか）を制御し得る。
【００３１】
[0035]クラウドソーシングの制御のレベルを増大させるために、サーバは、さらに、クラウドソーシングのためのいくつか（またはすべて）のソースを最初は「暫定」のものとして指定し得る。このコンテキストでは、クラウドソーシング観測値のための「ソース」は、任意のＷｉＦｉ  ＡＰ、任意のＢｌｕｅｔｏｏｔｈ  ＡＰ、任意のフェムトセルもしくはホーム基地局、任意の基地局に対応し得、またはＷｉＦｉ  ＡＰ、Ｂｌｕｅｔｏｏｔｈ  ＡＰ、フェムトセル、ホーム基地局もしくは基地局の特定のタイプ、特定のインスタンスもしくは特定のグループに対応し得る。サーバは、クラウドソーシングが制御されているモバイルデバイスに、特定のソースのための１つまたは複数の属性を与えることによって、クラウドソーシングが暫定として指定されているクラウドソーシングの特定のソースを指定し得る。そのような属性の例としては、（ｉ）任意のＷｉＦｉ  ＡＰ、（ｉｉ）任意のＢｌｕｅｔｏｏｔｈ  ＡＰ、（ｉｉｉ）任意のＬＴＥフェムトセル、（ｉｖ）任意のＩＥＥＥ  ８０２．１１ｘ  ＷｉＦｉ  ＡＰ（たとえば、ここで、８０２．１１ｘが、たとえば、８０２．１１ｂもしくは８０２．１１ｇなどの特定の８０２．１１タイプを示す）、または（ｖ）任意のＢＴＬＥ  ＡＰなど、特定のタイプのＡＰおよび／またはフェムトセルがあり得る。暫定として指定された特定のソースのためのそのような属性の他の例としては、（ｉ）ソースが位置する特定の環境（たとえば、屋内または屋外）、（ｉｉ）ソースが位置する１つまたは複数の特定の地理的エリアおよび／もしくはベニュー、（ｉｉｉ）ソースのためのいくつかのタイプのＷｉＦｉ  ＳＳＩＤ（たとえば、「＿ｎｏｍａｐ」指示を含んでいるＳＳＩＤ）、（ｉｖ）特定のネットワークタイプに対応するソース（たとえば、ＬＴＥもしくはＩＥＥＥ８０２．１１）、（ｖ）１つまたは複数の特定のネットワークもしくはネットワーク事業者に属するかもしくは関連付けられるソース、または（ｖｉ）特定の国、州、都市もしくは町内に位置するソースがあり得る。
【００３２】
[0036]一実施形態によれば、モバイルデバイスが、暫定であるとしてサーバによって指定された任意のソースに遭遇する場合、モバイルデバイスは、そのソースのためのクラウドソーシング観測値を取得しようと試みる前に、サーバに問い合わせ得る。一実装形態では、モバイルデバイスは、ソースが暫定として分類されるのか、または許容として分類されるのかなどにかかわらず、ソースのためのクラウドソーシング観測値を取得しようと試み得る。次いで、サーバによって「許容」と見なされたソースからの観測のみが、クラウドソーシングのためのサーバに報告され得る。
【００３３】
[0037]一実施形態によれば、サーバによって暫定として指定されたソースから観測を取得する許可に関して照会するモバイルデバイスからメッセージを受信したことに応答して、サーバは、クラウドソーシングのためのソースの観測を取得することが許可されるのかどうかを決定するために、データベース（たとえば、ナショナルレジスタ、またはＡＰ  ＭＡＣアドレス、フェムトセルグローバルセルＩＤ、ネットワークＩＤおよび／もしくはベニューＳＳＩＤを備える特定のエリア、ベニュー、団体などにローカルのデータベース）に問い合わせ得る。サーバは、さらに、（たとえば、問い合わせられている任意の好適なデータベースから）許可され得る観測のタイプおよび／またはそのような観測が許可される時間期間を決定し得る。サーバは、次いで、要求元モバイルデバイスに、許可されたクラウドソーシングのレベル（たとえば、なし、全部または、たとえば、Ｓ／ＮまたはＡＯＡではないがいくつかの特定の測定値サッチＲＳＳＩおよびＲＴＴ）を示す応答メッセージを与え得る。随意に、サーバは、さらに、観測に対する任意の許可または制限が適用されるべき地理的エリアおよび／または継続時間を指定し得る。モバイルデバイスは、次いで、暫定であるとして指定されたソースについての問合せに対するレポンス中でサーバによって許可された任意のクラウドソーシングを実行し得る。たとえば、モバイルデバイスは、特定のＡＰまたは特定のタイプのＡＰのためのサーバによって許可される場合、ＲＳＳＩおよびＲＴＴを測定し得、さらに、サーバによって与えられた場合、許可された継続時間の間におよび／または許可された地理的エリア内でそのようなクラウドソーシングを実行し得る。サーバから受信された許可された観測と制限された観測とに関する情報はまた、同じ暫定ソース条件に後で遭遇したときはいつでも、モバイルデバイスがクラウドソーシングを正しく実行することを可能にするために、（たとえば、何らかの限られた時間の間）モバイルデバイスのメモリ中にキャッシュされ得る。
【００３４】
[0038]いくつかのソースおよび／またはいくつかのタイプのソースを暫定であるとして最初に示すことによって、サーバは、モバイルデバイス中に許可されたクラウドソーシングに関する情報をあらかじめ事前構成する方法と比較して、誤りを回避し得る最新のプライバシー要件をモバイルデバイスに与えることが可能であり得る。さらに、モバイルデバイスによって検出された暫定ソースに関してサーバに問い合わせることと、どのクラウドソーシング観測が許可されるのかに関する命令をサーバから受信することとをモバイルデバイスに許可することによって、サーバは、モバイルデバイスが遭遇しないソースのためのプライバシー要件でモバイルデバイスを更新する必要を回避し、それによって、プライバシー要件を記憶するためのモバイルデバイスにおけるシグナリング使用量とメモリ使用量とを低減し得る。さらに、暫定であるとして指定されたソースに遭遇し、それについて問い合わせるモバイルデバイスにサーバによって与えられる命令は、事前にモバイルデバイスに新しい要件をプログラムする必要なしに、プライバシーの新しい要件（たとえば、プライバシーに関する新しい法律もしくは規制または消費者もしくは業界グループからの新しい要件）に適合され得、これは、レガシーモバイルデバイスならびに新しいモバイルデバイスが新しい要件をサポートすることを可能にし得る。
【００３５】
[0039]別の実装形態では、暫定として指定されたソースに関して照会するメッセージをサーバに与える際に、モバイルデバイスは、サーバがクラウドソーシングのための許可された観測値のレベルを決定するのを支援するために、ソースの識別情報、（たとえば、ＭＡＣアドレス、ＳＳＩＤ、セルＩＤおよび／もしくはネットワークＩＤなどの）ソースの近くの送信機の識別情報ならびに／またはモバイルデバイスの現在のロケーションおよび／もしくはソースのロケーションなど、テネイティブ（tenative）として指定されたソースに関係する限られた情報を与え得る。代替的に、サーバは、クラウドソーシングのための許可された観測値のレベルに関する決定を行う前に、モバイルデバイスに（たとえば、潜在的なクラウドソーシング制限によって許可される）特定のデータを要求し得る。
【００３６】
[0040]モバイルデバイスとサーバとの間の通信は、（ｉ）モバイルデバイスが、暫定として指定されたソースのための許可されたクラウドソーシングに関してサーバに問い合わせること、（ｉｉ）サーバが、これらのソースのための許可されたクラウドソーシングに関する情報をモバイルデバイスに与えること、および／または（ｉｉｉ）サーバが、許可されたクラウドソーシングのサーバの決定を支援するために詳細な情報についてモバイルデバイスに問い合わせることを可能にする必要があり得る。この通信は、伝送制御プロトコルおよびインターネットプロトコル（ＴＣＰ／ＩＰ）、セキュアユーザプレーンロケーション（ＳＵＰＬ）ユーザプレーンロケーションプロトコル（ＵＬＰ）、ＬＴＥ測位プロトコル（ＬＰＰ）および／またはＬＰＰ拡張（ＬＰＰｅ）プロトコルなどのいくつかの異なる通信および測位プロトコルを採用し得る。ＳＵＰＬ、ＵＬＰおよびＬＰＰｅは、公開されている文献においてオープンモバイルアライアンス（ＯＭＡ）として知られる団体によって定義されている。ＬＰＰは、公開されている文献において第３世代パートナーシッププロジェクト（３ＧＰＰ（登録商標）：3rd Generation partnership Project）として知られる団体によって定義されている。ＴＣＰおよびＩＰは、インターネットエンジニアリングタスクフォース（ＩＥＴＦ：Internet Engineering Task Force）によって定義されている。
【００３７】
[0041]上記で説明した暫定として指定されたソースをクラウドソーシングするための問合せおよび応答技法の使用は、ＡＰおよび／もしくはフェムトセル送信に関係する異なる特定のタイプのプライバシー手順をモバイルデバイスがサポートする必要を回避するのに役立ち得、ならびに／または、異なる国、異なる州、ならびに／もしくはＡＰおよびフェムトセルの異なるオーナー、事業者などの間で異なり得るクラウドソーシング決定を行うための責任からモバイルデバイスを解放する。さらに、サーバ内でフィルタ処理が行われる状態でモバイルデバイスがすべての利用可能な情報をクラウドソースすることが許可され、検証することが困難または不可能であり得る、サーバ内でサポートされ得る手法とは異なり、説明した手法は、少なくとも部分的に（たとえば、傍受および観測しやすいことがある）サーバとモバイルデバイスとの間の明示的通信の使用により（たとえば、適合を保証するなどのために）比較的透過的であり、および／または容易に検証可能である。
【００３８】
[0042]本方法はまた、モバイルデバイスによる他のタイプの情報のクラウドソーシングを制御するために使用され得る。たとえば、本方法は、写真、ビデオクリップ、オーディオクリップ、オーディオ特性（たとえば、ボリュームおよび周波数範囲）、照明特性（たとえば、照明レベルおよび色範囲）、環境データ（たとえば、大気圧、大気質、温度、湿度）、人に関係するデータ（たとえば、モバイルデバイスのロケーションに可視であるかそこから可聴である人の数および／もしくは密度）ならびに／または近くのワイヤレスネットワークに関するデータ（たとえば、可視のセル、ＲＦカバレージ）のクラウドソーシングを制御するために使用され得る。各場合において、クラウドソーシングのいくつかのソースまたはタイプは、サーバによって暫定として指定され得、および／またはモバイルデバイスによって遭遇されたとき、サーバによって許可された場合、いずれかのクラウドソーシングを続ける前に最初にモバイルデバイスがサーバに問い合わせることを必要とし得る。この場合のソースは、タイプ（たとえば、写真、オーディオクリップ、テンペラチュラム（temperaturem）湿度）に従って識別され得、ならびに／または、特定の地理的エリア、ベニュー、建築物、町、都市、州、国、特定の環境（たとえば、屋内、屋外）、特定の時刻、特定の曜日もしくは日および／もしくは他の特性に対応し得および／もしくはそれを介して識別され得、ならびにＡＰおよびフェムトセルなどのワイヤレス送信機に対応するかまたはそれに関連付けられることもそうでないこともある。
【００３９】
[0043]図１は、クラウドソーシングのためのプライバシーを可能にするための１つまたは複数のプロセスまたは動作を容易にするかまたはサポートすることが可能な例示的なシステム１０の特徴を示す概略図である。システムについて、本明細書では、公衆ネットワーク（たとえば、インターネット、ワールドワイドウェブ）、プライベートネットワーク（たとえば、イントラネット）、ワイヤレスローカルエリアネットワーク（ＷＬＡＮなど）など、様々な電子通信ネットワークまたはそのようなネットワークの組合せのコンテキストにおいて、全体的にまたは部分的に実装され得る非限定的な例として説明されることを諒解されたい。また、請求する主題は屋内実装形態に限定されないことに留意されたい。たとえば、時々、本明細書で説明する１つまたは複数の動作または技法は、少なくとも部分的に、（たとえば、ビルの谷間、アンフィシアター（amphitheaters）、駐車場、屋上庭園、パティオなど、部分的にまたは実質的に囲まれたエリアを含み得る）屋外環境または混合環境において実行され得る。
【００４０】
[0044]図示のように、システム１０は、衛星測位システム（ＳＰＳ）衛星１６０からＳＰＳ信号１５９を受信または収集し得るモバイルデバイス（ＭＤ）１００を備え得る。いくつかの実装形態では、ＳＰＳ衛星１６０は、たとえば、ＧＰＳ衛星システムまたはＧａｌｉｌｅｏ衛星システムなどの、１つのグローバルナビゲーション衛星システム（ＧＮＳＳ）からのものであり得る。他の実装形態では、ＳＰＳ衛星１６０は、限定はしないが、ＧＰＳ衛星システム、Ｇａｌｉｌｅｏ衛星システム、Ｇｌｏｎａｓｓ衛星システム、またはＢｅｉｄｏｕ（Ｃｏｍｐａｓｓ）衛星システムなどの複数のＧＮＳＳからのものであり得る。いくつかの実装形態では、ＳＰＳ衛星１６０の一部または全部は、ほんの数例を挙げると、ＷＡＡＳ、ＥＧＮＯＳ、およびＱＺＳＳなど、いくつかの地域航法衛星システム（ＲＮＳＳ）のうちの任意の１つまたは複数からのものであり得る。やはり図示のように、時々、ＭＤ１００は、ワイヤレス通信ネットワークに無線信号を送信し、および／またはワイヤレス通信ネットワークから無線信号を受信し得る。一例では、ＭＤ１００は、ワイヤレス通信リンク１２３を介して基地局トランシーバ１１０にワイヤレス信号を送信し、および／または基地局トランシーバ１１０からワイヤレス信号を受信することによってワイヤレス通信ネットワークと通信し得る。同様に、ＭＤ１００は、ワイヤレス通信リンク１２５を介してローカルトランシーバ１１５にワイヤレス信号を送信し、および／またはローカルトランシーバ１１５からワイヤレス信号を受信し得る。
【００４１】
[0045]特定の実装形態では、ローカルトランシーバ１１５は、ワイヤレス通信リンク１２３を介して基地局トランシーバ１１０によって使用可能にされる距離よりも短い距離（最大２００メートル）でワイヤレス通信リンク１２５を介してＭＤ１００と通信することが可能であり得る。たとえば、ローカルトランシーバ１１５は、屋内環境に配置され得る。ローカルトランシーバ１１５は、ワイヤレスローカルエリアネットワーク（ＷＬＡＮ、たとえば、ＩＥＥＥ規格８０２．１１ネットワークなど）、ワイヤレスパーソナルエリアネットワーク（ＷＰＡＮ、たとえば、Ｂｌｕｅｔｏｏｔｈネットワークなど）などへのアクセスを提供し得る。別の例示的な実装形態では、ローカルトランシーバ１１５は、（たとえば、ＬＴＥまたはＷＣＤＭＡなどの）セルラー通信プロトコルに従ってリンク１２５を介した通信を容易にすることが可能なフェムトセルトランシーバ、ホーム基地局トランシーバまたはスモールセルトランシーバを備え得る。もちろん、これらが、ワイヤレスリンクを介してＭＤ１００と通信し得るネットワークの例にすぎず、特許請求する主題が、この点について限定されないことを理解されたい。
【００４２】
[0046]図１０には、ただ１つのＭＤ１００と、１つの基地局トランシーバ１００と、１つのローカルトランシーバ１１５とが示されているが、図１に示されていない他のＭＤ、他の基地局トランシーバおよび／または他のローカルトランシーバがあり得ることに留意されたい。本明細書の説明は、次いで、ＭＤ１００と、基地局トランシーバ１００と、ローカルトランシーバ１１５とが代表にすぎないこれらのＭＤ、基地局トランシーバおよび／またはローカルトランシーバのいずれにも適用可能であり得る。
【００４３】
[0047]特定の実装形態では、基地局トランシーバ１１０および／またはローカルトランシーバ１１５は、リンク１４５を通してネットワーク１３０を介してサーバ１４０、１５０および／または１５５と通信し得る。ここで、ネットワーク１３０は、ワイヤードおよび／またはワイヤレスリンクの任意の組合せを備え得る。いくつかの例では、ネットワーク１３０は、ローカルトランシーバ１１５および／または基地局トランシーバ１１０を通したＭＤ１００とサーバ１４０、１５０、および／または１５５との間の通信を容易にするかまたはサポートすることが可能なインターネットプロトコル（ＩＰ）インフラストラクチャを備え得る。別の実装形態では、ネットワーク１３０は、ＭＤ１００とのモバイルセルラー通信を容易にするために、基地局コントローラ（ＢＳＣ：base station controller）、モバイル交換センター（ＭＳＣ：mobile switching center）またはモビリティ管理エンティティ（ＭＭＥ：mobility management entity）などのセルラー通信ネットワークインフラストラクチャを備え得る。ネットワーク１３０は、モバイル通信用グローバルシステム（ＧＳＭ（登録商標）：Global System for Mobile Communications）、符号分割多元接続（ＣＤＭＡ：Code Division Multiple Access）２０００（ｃｄｍａ２０００）、広帯域ＣＤＭＡ（ＷＣＤＭＡ：Wideband CDMA）、ロングタームエボリューション（ＬＴＥ：Long Term Evolution）、または高速パケットデータ（ＨＲＰＤ：High Rate Packet Data）などのワイヤレス技術をサポートし得る。ＧＳＭ、ＷＣＤＭＡおよびＬＴＥは、第３世代パートナーシッププロジェクト（３ＧＰＰ）として知られている組織によって規格化された。ｃｄｍａ２０００およびＨＲＰＤは、第３世代パートナーシッププロジェクト２（３ＧＰＰ２：3rd Generation Partnership Project 2）として知られている組織によって規格化された。特定の実装形態では、サーバ１４０、１５０、および１５５のうちの１つまたは複数は、３ＧＰＰによって定義された拡張サービングモバイルロケーションセンター（Ｅ−ＳＭＬＣ：Enhanced Serving Mobile Location Center）またはオープンモバイルアライアンス（ＯＭＡ：Open Mobile Alliance）によって定義されたＳＵＰＬロケーションプラットフォーム（ＳＬＰ：SUPL Location Platform）を備え得る。ＳＬＰを備えるサーバ１４０、１５０または１５５は、さらに、ＯＭＡによって定義されたＳＵＰＬ規格に従ってホームＳＬＰ（Ｈ−ＳＬＰ）としておよび／またはＤｉｓｃｏｖｅｒｅｄ  ＳＬＰ（Ｄ−ＳＬＰ）として機能し得る。
【００４４】
[0048]特定の実装形態では、ＭＤ１００は、位置フィックスを使用可能にするかもしくは計算すること、および／またはＭＤ１００のロケーションを推定することが可能な回路および／または処理リソースを有し得る。たとえば、ＭＤ１００は、（たとえば、サーバ１４０、１５０または１５５のうちの１つの中で）４つ以上のＳＰＳ衛星１６０までの擬似距離測定値に少なくとも部分的に基づいて位置フィックスを計算するか、または使用可能にし得る。ここで、ＭＤ１００は、たとえば、４つ以上のＳＰＳ衛星１６０から収集された信号１５９中の擬似雑音（ＰＮ：pseudonoise）コード位相検出に少なくとも部分的に基づいてそのような擬似距離測定値を計算し得る。特定の実装形態では、ＭＤ１００は、ほんの数例を挙げると、アルマナック、エフェメリスデータ、ドップラー探索ウィンドウ、およびコード位相探索ウィンドウを含む、ＳＰＳ衛星１６０によって送信された信号１５９の取得および測定を助けるために、サーバ１４０、１５０、および／または１５５から測位支援データを受信し得る。
【００４５】
[0049]他の実装形態では、ＭＤ１００は、高度順方向三辺測量（ＡＦＬＴ：advanced forward trilateration）、観測到着時間差（ＯＴＤＯＡ）などのいくつかの技法のうちのいずれか１つを使用して基地局トランシーバ１１０および／またはローカルトランシーバ１１５などの固定された地上波送信機から受信された信号を測定することに少なくとも部分的によって位置フィックスを取得するかまたは使用可能にし得る。これらの特定の技法では、ＭＤ１００は、送信機によって送信され、ＭＤ１００において受信されたパイロットまたは他の基準信号に少なくとも部分的に基づいて３つ以上のこれらの地上波送信機までの時間差、位相差などを測定し得る。ここで、サーバ１４０、１５０、および／または１５５は、ＡＦＬＴ、ＯＴＤＯＡなどの１つまたは複数の測位技法を容易にするために、基地局トランシーバ１１０および／またはローカルトランシーバ１１５などの地上波送信機のロケーション、識別情報、送信タイミング、予想時間差測定値などのうちの１つまたは複数を含む測位支援データをＭＤ１００に与えることが可能であり得る。たとえば、サーバ１４０、１５０、および／または１５５は、特定の領域中のセルラー基地局のロケーション、識別情報、送信特性などのうちの１つまたは複数を示す基地局アルマナック（ＢＳＡ）を含み、ＭＤ１００に送り得る。
【００４６】
[0050]いくつかの実装形態では、ＭＤ１００は、ＳＰＳ衛星１６０からの信号１５９の測定（たとえば、擬似距離測定）、ならびに／または地上波送信機からの信号、基地局トランシーバ１１０からのワイヤレス通信リンク１２３を介したそのような信号もしくはローカルトランシーバ１１５からのワイヤレス通信リンク１２５上を介した信号の測定（たとえば、時間差測定）を行い得、これらの信号を収集および測定するために、サーバ１４０、１５０または１５５のうちの１つから支援データを受信し得る。しかしながら。ＭＤ１００は、これらの測定値からＭＤ１００のロケーション推定値を計算しないことがあり、代わりに、ＭＤ１００のためのロケーションを計算するためにサーバ１４０、１５０または１５５のうちの１つに測定値を送り得る。ロケーション計算は、測定された送信機のための知られているロケーション、知られている識別情報、知られている送信時間および／または他の知られている特性を利用し得る。ＭＤ１００のためのロケーションを計算するサーバは、ＭＤ１００にロケーションを戻し、および／または、たとえば、サーバに送られたクラウドソーシング測定値をＭＤ１００が収集したときにＭＤ１００のためのロケーションを決定する際に使用するために、ロケーションを保持し得る。
【００４７】
[0051]示したように、屋内環境またはビルの谷間などのいくつかの環境では、ＭＤ１００は、ＧＮＳＳベースの測位方法を使用して（たとえば、サーバ１４０、１５０または１５５のうちの１つによって）ロケーションを取得するか、もしくは使用可能にするのに十分な数のＳＰＳ衛星１６０から、またはＡＦＬＴおよびＯＴＤＯＡのような方法を使用して位置フィックスを計算するか、もしくは使用可能にするのに十分な数の基地局トランシーバおよび／もしくはローカルトランシーバから信号１５９を確実にまたは正確に収集することが可能でないことがある。したがって、代替的に、ＭＤ１００は、屋内環境中にすべてがまたは大部分が位置するローカル送信機（たとえば、フェムトセルまたはＷＬＡＮアクセスポイント）から収集された信号に少なくとも部分的に基づいて位置フィックスを計算するか、または使用可能にすることが可能であり得る。たとえば、ＭＤ１００は、ＲＳＳＩ、ＲＴＴ、Ｓ／Ｎ、ＡＯＡなどを測定することによってなど、３つ以上の屋内地上波ワイヤレスアクセスポイントおよび／またはフェムトセル、そのようなローカルトランシーバ１１５、から信号を測定することによって位置フィックスを取得し得るか、または使用可能にし得る。そのような測定は、そのようなアクセスポイントおよび／またはフェムトセルから受信された信号からＭＡＣアドレスまたはグローバル（またはローカル）セルＩＤを取得することを含み得る。ＭＤ１００が、それらのロケーション、識別情報、送信電力など、測定された送信機についての情報を与える支援データ（たとえば、ＭＤ１００にサーバ１４０、１５０または１５５のうちの１つによって送られるＢＳＡ）を有する場合、ＭＤ１００は、次いで、これらの測定値に少なくとも部分的に基づいてＭＤ１００自体のロケーション推定値を計算し得る。他の実装形態では、ＭＤ１００は、サーバが有する測定された送信機についての情報に基づいてＭＤ１００のロケーション推定値を計算し得るサーバ１４０、１５０または１５５のうちの１つに測定値を転送し得る。
【００４８】
[0052]代替実装形態では、ＭＤ１００またはサーバ１４０、１５０もしくは１５５のうちの１つは、ローカル送信機のＲＦカバレージエリア内のまたはそれに重複するポイントの長方形グリッド中のグリッドポイントのセットの各々のためのなどのいくつかの知られているロケーションにある特定のローカル送信機の知られているかまたは予想されるＲＳＳＩ、ＲＴＴ、または同様の値を与えるＲＦヒートマップにローカル送信機のＭＤ１００によって行われたいくつかの測定（たとえば、ＲＳＳＩまたはＲＴＴなどの測定）を適用することによってＭＤ１００のための位置フィックスを取得し得る。この場合、ローカル送信機のロケーションは、ＭＤ１００によって、またはＲＦパターンマッチングの技法を実行することによって、部分的に最小として、ＭＤ１００のロケーションを取得し得るサーバ１４０、１５０もしくは１５５のうちの１つによって知られる必要がないことがある。
【００４９】
[0053]同じく説明したように、特定の実装形態では、ＭＤ１００は、サーバ１４０、１５０、および／または１５５のうちの１つまたは複数から１つまたは複数の測位動作についての測位支援データを受信し得る。たとえば、測位支援データは、１つまたは複数の送信機のための測定されたＲＳＳＩ、ＲＴＴ、ＲＳＴＤなどに少なくとも部分的に基づいてＭＤ１００がそれのロケーションを取得することを可能にするために送信機のロケーションおよび／または識別情報を含み得る。測位動作（たとえば、屋内）を補助する１つまたは複数の送信機についての他の測位支援データは、ほんの数例を挙げると、ＲＦヒートマップ、送信出力、アンテナ利得、アンテナダウンチルト、送信機の送信タイミング、ルーテビリティグラフを含み得る。他の支援データは、表示のための、またはナビゲーションを助けるための屋内エリアのローカルマップを含み得る。そのようなマップは、ＭＤ１００が特定の屋内エリアに入るとき、ＭＤ１００に与えられ得る。そのようなマップは、扉、通路、入口、壁などの屋内の特徴、化粧室、公衆電話、部屋名、店舗などの関心地点を示し得る。ＭＤ１００は、たとえば、壁、床、戸口、部屋および廊下などの介在オブジェクトおよびエリアのための想定されるまたは知られている減衰および反射特性に基づいてマップによってカバーされたエリア中に位置する屋内送信機のための可能性がある信号伝搬を決定することによって、ナビゲーションの支援としておよび／または測位を支援するためにそのようなマップを使用し得る。ＭＤ１００は、次いで、マップ中の異なるロケーションにおける予想される信号特徴（たとえば、ＲＳＳＩ、ＲＴＴ、Ｓ／Ｎ）を予測することが可能であり得、これは、ＭＤ１００が、異なるローカル送信機についてこれらの同じ特性を測定するときロケーション脱アミノを支援し得る。
【００５０】
[0054]一実装形態によれば、ＭＤ１００は、これらのサーバのうちの１つにデータを要求することによって、サーバ１４０、１５０、および１５５のうちの１つまたは複数を通して（たとえば、屋内ナビゲーションおよび／または屋内測位のための）測位支援データにアクセスし得る。特定の実装形態では、サーバ１４０、１５０、および１５５のうちの１つまたは複数は、ほんの数例を挙げると、建築物のフロア、病院の病棟、空港のターミナル、大学構内の一部分、大型ショッピングモールのエリアを含む多くの異なる屋内エリアをカバーするために屋内使用のための（たとえば、屋内ナビゲーションおよび／または屋内測位のための）支援データを与えることが可能であり得る。いくつかの実装形態では、ＭＤ１００におけるメモリリソースおよび／またはシグナリングリソースは、サーバ１４０、１５０、および／または１５５によってサービスされる１つまたは複数の領域についての屋内測位支援データの受信を実行不可能または実現不可能にし得る。ＭＤ１００への屋内ナビゲーションおよび／または屋内測位支援データについての要求は、次いで、ＭＤ１００のロケーションの粗いまたは進路推定値を示し得る。ＭＤ１００は、次いで、ＭＤ１００のロケーションの粗いまたは進路推定値を含み、および／またはそれに近接するエリアをカバーする屋内ナビゲーションおよび／または屋内測位支援データがサーバ１４０、１５０、および／または１５５によって与えられ得る。
【００５１】
[0055]一実施形態では、ＭＤ１００のためのロケーションを計算するためにサーバ１４０、１５０または１５５のうちの１つが使用する支援データ、ならびに／またはローカル送信機のための信号を収集し測定することおよび／もしくはこれらの測定値からＭＤ１００のためのロケーションを計算することをＭＤ１００が行うことを可能にするためにサーバ１４０、１５０もしくは１５５のうちの１つがＭＤ１００に送る支援データは、何らかの前の時間または前のセットの時間にいくつかのモバイルデバイスによってクラウドソースされたデータからサーバに少なくとも部分的によって取得されていることがある。たとえば、１つまたは複数の基地局および／またはローカル送信機のためのロケーション、送信特性、識別情報および／またはＲＦヒートマップのうちの１つまたは複数を備える支援データは、クラウドソーシングを使用して（たとえば、ＭＤ１００を含む）モバイルデバイスから受信されたデータを使用してサーバ１４０、１５０または１５５のいずれかによって取得されるか、または別の方法でそれの中で構成され得る。
【００５２】
[0056]以下で説明するように、特定の実装形態では、１つまたは複数のサーバ１４０、１５０、および／または１５５は、特定の動作環境に関連するＷｉＦｉアクセスポイント、Ｂｌｕｅｔｏｏｔｈアクセスポイント、ＬＴＥフェムトセルなどの一部または全部のタイプのための識別情報、ロケーション、特定のタイプの測定値（たとえば、ＲＳＳＩ、ＲＴＴ、Ｓ／Ｎ、ＡＯＡなど）に関する測定、観測など、好適なクラウドソーシング測定を処理および／または誘発し得る。そのような動作環境は、モバイルデバイス１００のための現在のロケーションによって、および／またはモバイルデバイス１００が現在位置し得る領域か、それが最近位置していた領域か、もしくは後で位置し得る領域によって表され得る。１つまたは複数のサーバ１４０、１５０、および／または１５５は、モバイルデバイス１００によって検出されたときに、モバイルデバイス１００に、いくつかまたはすべてのタイプのアクセスポイントのための（たとえば、ＩＥＥＥ８０２．１１ｂ  ＷｉＦｉアクセスポイントもしくはすべてのＷｉＦｉアクセスポイントのための、またはすべてのＷｉＦｉアクセスポイントおよびすべてのＢｌｕｅｔｏｏｔｈアクセスポイントのための）特定のタイプの測定値、観測値など（たとえば、ＲＳＳＩ、ＲＴＴおよび／またはＳ／Ｎの測定値など）を収集することを行わせ得るトリガ条件（たとえば、継続時間、周期的間隔、何らかの最小数のアクセスポイントの可視性、特定のエリア内のロケーション）を示し得る。モバイルデバイス１００は、次いで、（たとえば、測定値および観測値のセットがモバイルデバイス１００の現在のロケーションのために取得された後、または観測値および測定値を収集するために使用される任意の周期的間隔よりも長いことがある周期的間隔でなど）いくつかの他のトリガ条件が発生するとき、サーバに観測値および測定値を報告（すなわち、クラウドソーシング）して戻し得る。サーバ１４０、１５０、および／または１５５はまた、モバイルデバイス１００へのクラウドソーシングを実行するための全期間（たとえば１週間〜１年など）、またはクラウドソーシング測定値を収集し、戻すのを中止するための何らかの他のトリガ条件（たとえば、電源切断されていることなど）を与え得る。
【００５３】
[0057]サーバ１４０、１５０、および／または１５５のうちの１つまたは複数は、さらに、モバイルデバイス１００に、暫定であるとしてクラウドソーシングするためのいくつかのソース（たとえば、一部または全部のソース）を指定し得る。暫定ソースは、１つもしくは複数のソースまたは特定のタイプのワイヤレスアクセスポイントなどの特定のソース（たとえば、ＩＥＥＥ８０２．１１ｇアクセスポイントなどのいくつかのタイプのＷｉＦｉアクセスポイント、または通信サービスのためのアクセスがモバイルデバイス１００に許可されるか、もしくは許可されないフェムトセルなどのいくつかのタイプのフェムトセル）を含み得る。暫定ソースは、同じくまたは代わりに、たとえば、特定の事業者、オーナーまたはマネージャに対応し得る特定のＭＡＣアドレス、特定のセルグローバル識別情報または特定の範囲アドレスによって示される、特定のＡＰおよび／またはフェムトセルを含み得る。暫定ソースは、さらに、（ｉ）特定の環境（たとえば、屋内、ビルの谷間など）、特定の地理的エリアおよび／もしくは特定のベニュー、（ｉｉ）いくつかのタイプのＷｉＦｉ  ＳＳＩＤ（たとえば、「ｎｏｍａｐ」指示を含んでいるＳＳＩＤなど）、ならびに／または（ｉｉｉ）特定のネットワークタイプ、特定のネットワーク識別情報などに位置するかまたは別の方法でそれに関連するＡＰおよび／またはフェムトセルを含み得る。当然、これらは、暫定ソースに関する例にすぎず、請求する主題はそのように限定されない。
【００５４】
[0058]したがって、例示的な実装形態では、モバイルデバイス１００が暫定として指定された任意のソースに遭遇する場合、モバイルデバイス１００は、クラウドソーシングを実行する前になど、クラウドソーシングが暫定ソースのために許可されるのかどうか、そうである場合、暫定ソースについてどんなタイプの情報をクラウドソーシングするのが許可されるのかに関する情報についてサーバ１４０、１５０および／または１５５の１つまたは複数に問い合わせ得る。１つまたは複数のサーバ１４０、１５０、および／または１５５は、次いで、許可されたクラウドソーシングに関する情報について（たとえばネットワーク１３０を介して）適切なデータベースに問い合わせ得る。データベースは、（ｉ）（たとえば、ＷｉＦｉおよびＢＴＬＥ  ＡＰのための）ＡＰ  ＭＡＣアドレス、（ｉｉ）フェムトセル、ホーム基地局、および／もしくは基地局のためのグローバルセルＩＤ、ならびに／または（ｉｉｉ）個別のＡＰおよびフェムトセルならびに／もしくは（特定の団体、ベニューもしくはネットワーク事業者に属するＡＰおよび／もしくはフェムトセルなどの）ＡＰおよびフェムトセルのグループを識別するネットワークＩＤおよび／もしくはベニューＳＳＩＤを含んでいるナショナルレジスタ、ステートレジスタまたは何らかの他のレジスタ（たとえば、消費者グループ、業界団体または１つもしくは複数のネットワーク事業者によって所有および運営されるレジスタ）であり得る。データベースは、特定の暫定ソースのためにクラウドソーシングが許可されるのかどうか、およびどのタイプの測定値、観測値などをクラウドソーシングするのが許可されるのかを決定することができるか、またはそれを決定するのに役立つ情報を含み得る。たとえば、データベースは、クラウドソーシングが許可されない個別のＷｉＦｉ  ＡＰおよび／もしくはＢＴＬＥ  ＡＰのためのＭＡＣアドレスならびに／またはフェムトセルおよびホーム基地局のためのグローバルセルＩＤを含み得る。データベースは、同じくまたは代わりに、ＡＰおよび／またはフェムトセルならびにホーム基地局のアドレス、（たとえば、１００メートルなどの何らかの最大精度をもつ）それらの近似ロケーションをクラウドソーシングすることが許可されるが、ＡＰおよび／またはフェムトセルならびにホーム基地局の他の測定値をクラウドソーシングすることが許可されないなど、いくつかの制限付きでクラウドソーシングが許可される個別のＷｉＦｉ  ＡＰならびに／またはＢＴＬＥ  ＡＰならびに／またはフェムトセルおよびホーム基地局のためのグローバルセルＩＤのためのＭＡＣアドレスを含み得る。データベースは、クエリを送ったサーバ１４０、１５０または１５５にクエリに関係するデータベース中に記憶された情報を戻し得る。
【００５５】
[0059]時々、サーバ１４０、１５０、および／または１５５のうちの１つまたは複数は、（たとえば、暫定であるソースに関する何らかの前の時点にクエリのためにデータベースによって与えられたおよび／またはＡＰ、フェムトセルなどのオーナー、事業者などによって与えられた）以前に受信された情報を利用し得る。以前に受信された情報は、データベースと同様に、クラウドソーシングがどのＡＰおよび／またはフェムトセルに許可され、どのＡＰおよび／またはフェムトセルに許可されないのか、ならびに特定のＡＰおよびフェムトセルのためにおよび／または特定のカテゴリーのＡＰおよびフェムトセルのためにどのタイプの情報（たとえば、どの特定の測定値、観測値など）が収集され、クラウドソーシングされ得るのかを示し得る。サーバ１４０、１５０、および／または１５５のうちの１つまたは複数は、次いで、たとえば、なし、全部、クラウドソーシングが許可されるかもしくは許可されない特定のＡＰおよびフェムトセル、ならびに／または特定の測定値など、許可されたクラウドソーシングのレベルをモバイルデバイス１００に与え得る。
【００５６】
[0060]いくつかの例では、サーバ１４０、１５０、および／または１５５のうちの１つまたは複数は、モバイルデバイス１００に、クラウドソーシングのための１つまたは複数の許可および／または制限を適用し得るクラウドソーシングの適用可能な地理的エリアおよび／または継続時間を与え、および／または示し得る。サーバ１４０、１５０、および／または１５５のうちの１つまたは複数はまた、クラウドソーシングのための他のタイプの許可および／または制限を与え得る。たとえば、サーバ１４０、１５０、および／または１５５のうちの１つまたは複数は、クラウドソーシングが許可されるかまたは許可されない環境（たとえば、屋内、屋外、屋外過密都市）、所有または運営するＡＰおよび／またはフェムトセルのクラウドソーシングが許可されるかまたは許可されないネットワーク、ネットワーク事業者および／またはベニューの識別情報、クラウドソーシングが許可されるかまたは許可されない時刻または曜日などを示し得る。いくつかの例では、サーバ１４０、１５０、および／または１５５のうちの１つまたは複数は、モバイルデバイス１００に許可されたクラウドソーシングのレベルを返送する前に、（たとえば、可視のアクセスポイント、可視のフェムトセルなど、モバイルデバイス１００が位置する環境のタイプ、モバイルデバイス１００のロケーションなどに関する）さらなる情報についてモバイルデバイス１００に問い合わせ得る。
【００５７】
[0061]一実装形態によれば、モバイルデバイス１００は、サーバ１４０、１５０、および／または１５５のうちの１つまたは複数によって許可されると示されたか、または、場合によっては、許可されないと示されなかったあらゆるクラウドソーシングを実行し得る。いくつかの実施形態では、許可された（または許可されないとされなかった）クラウドソーシングは、さらに、サーバ１４０、１５０または１５５のうちの１つによって与えられた場合、許可された継続時間の間に、許可された地理的エリア内でなど、モバイルデバイス１００によって実行され得る。時々、サーバ１４０、１５０、および／または１５５のうちの１つまたは複数から受信された情報は、後で同じまたは同様のソース条件に遭遇したときはいつでもモバイルデバイス１００がクラウドソーシングを正しく実行することを可能にするために、モバイルデバイス１００のメモリ中にキャッシュされ得る。いくつかの実施形態では、サーバ１４０、１５０または１５５は、情報がどのくらいの時間の間キャッシュされ、モバイルデバイス１００によって許可されたクラウドソーシングを決定するために使用され得るのかについてモバイルデバイス１００が知ることを可能にするためにモバイルデバイス１００に与えられるクラウドソーシング許可情報の有効期間を示し得る。これらの実施形態では、モバイルデバイス１００は、有効期間が満了した後にキャッシュされた情報を削除し得る
[0062]いくつかの例では、モバイルデバイス１００は、サーバ１４０、１５０または１５５のうちの１つまたは複数にモバイルデバイス１００および／または（たとえば、基地局トランシーバ１１０、ローカルトランシーバ１１５などの）近くのワイヤレス送信機に関係する追加情報を与え得る。そのような情報は、モバイルデバイス１００の現在のロケーション、（たとえば、最近２４時間〜１６８時間の１時間間隔でのモバイルデバイス１００のロケーションなどの）モバイルデバイス１００のための最近のロケーション履歴、ＭＡＣアドレス、ＳＳＩＤ、グローバルまたはローカルセルＩＤ、ネットワークＩＤなどを含み得る１つまたは複数の現在可視のまたは最近（たとえば、最近１時間に）可視のアクセスポイントおよび／またはフェムトセルなどの各々についての情報を備え得る。この追加情報は、上記で説明したように、暫定として指定された１つまたは複数のクラウドソーシングソースについてのクラウドソーシング許可情報についてのサーバへのクエリとともにサーバ１４０．１５０または１５５のうちの１つにモバイルデバイス１００によって与えられ得る。代替的にまたは追加として、サーバ１４０、１５０または１５５のうちの１つまたは複数は、たとえば、モバイルデバイス１００からクエリを受信した後に、この追加情報を与えるようにモバイルデバイス１００に要求し得る。この追加情報は、クラウドソーシングが許可および／または制限されるのかどうか、関連する地理的エリア、継続時間などが与えられるべきであるのかどうかなどに関する決定を行うことをサーバ１４０、１５０、および／または１５５のうちの１つまたは複数が行うのに役立ち得る。いくつかの例では、モバイルデバイス１００は、請求する主題はそのように限定されないが、ＳＵＰＬセッションを使用して、ならびに／または３ＧＰＰによって規定されたＬＴＥ測位プロトコル（ＬＰＰ）および／もしくはＯＭＡによって規定されたＬＰＰ拡張（ＬＰＰｅ）プロトコルを使用して、１つまたは複数のサーバ１４０、１５０および１５５と対話し得る。
【００５８】
[0063]本明細書では、一定数のコンピューティングプラットフォーム、デバイス、送信機などについて説明されるが、図１の例示的な動作環境に関連する１つまたは複数の技法またはプロセスを容易にするかまたは別の方法でサポートするために任意の数の好適なコンピューティングプラットフォーム、デバイス、送信機などが実装され得ることに留意されたい。たとえば、時々、ネットワーク１３０は、モバイルデバイス１００、基地局トランシーバ１１０、ローカルトランシーバ１１５、サーバ１４０、１５０、および／または１５５などとの通信のためのカバレージエリアを強化するために、１つまたは複数のワイヤードまたはワイヤレス通信ネットワーク（たとえば、ＷｉＦｉなど）に結合され得る。同じく示したように、いくつかの例では、ネットワーク１３０は、たとえば、フェムトセルベースの動作可能なカバレージ領域を容易にするかまたはサポートし得る。この場合も、これらは実装形態の例にすぎず、請求する主題はこの点について限定されない。
【００５９】
[0064]次に図２に注目すると、図２は、図１のシステム１０内でなど、クラウドソーシングのためのプライバシーの制御を可能にするための１つまたは複数の動作またはプロセスを容易にするかまたはサポートし得るモバイルデバイス２０２とサーバ２０４との間のメッセージ交換プロセス２００の実装形態を示すメッセージフロー図である。したがって、いくつかの例では、モバイルデバイス２０２は、図１のモバイルデバイス１００を備えるかまたはそれを表し得、サーバ２０４は、１つまたは複数のサーバ（たとえば、図１のサーバ１４０、１５０または１５５）を備えるかまたはそれを表し得る。少なくとも１つの実施形態では、モバイルデバイス２０２は、ＳＵＰＬ対応端末（ＳＥＴ）を備え得、サーバ２０４は、Ｈ−ＳＬＰまたはＤ−ＳＬＰなどのＳＵＰＬロケーションプラットフォーム（ＳＬＰ）を備え得る。たとえば、例示的なプロセス２００に関連する入力信号、出力信号、動作、結果、メッセージなど、収集および／または生成された情報が、１つまたは複数のＲＦデジタル信号を介して表され得ることに留意されたい。１つまたは複数の動作が、同時に、またはある順序に関して、示されまたは説明されていても、他の順序または同時の動作が利用されてもよいことも諒解されたい。加えて、以下の説明は、いくつかの他の図に示される特定の態様または特徴に言及するが、１つまたは複数の動作は、他の態様または特徴とともに実行され得る。
【００６０】
[0065]２０８に示すように、サーバ２０４は、モバイルデバイス２０２にクラウドソーシング要求を送ることによってクラウドソーシングを開始するかまたは実装することを要求し得る。いくつかの例では、２０８におけるクラウドソーシング要求は、図１中のネットワーク１３０などのネットワークを介してモバイルデバイス２０２に転送され得る。２１０、２１２、２１４、２２０、２２２、２３４および２３６におけるメッセージなど、図１中のモバイルデバイス２０２とサーバ２０４との間で転送されるとして図示し説明する他のメッセージはまた、ネットワーク（たとえば、２０８におけるものと同じネットワークまたは可能な異なるネットワーク）を通して転送され得る。当然、請求する主題は、特定の通信ネットワークインフラストラクチャに限定されない。２０８におけるクラウドソーシング要求は、（ｉ）（たとえば、ＩＥＥＥ８０２．１１  ＷｉＦｉ  ＡＰ、ＢＴＬＥ  ＡＰならびに／またはＬＴＥフェムトセルおよび／もしくはＬＴＥ基地局を示すなど）クラウドソーシング測定値が必要とされるＡＰおよび／またはフェムトセルのタイプ、（ｉｉ）（たとえば、ＲＳＳＩ、ＲＴＴ、Ｓ／Ｎ、ＡＯＡ、ＴＯＡおよび／またはＲＳＴＤ測定値を取得するなど）モバイルデバイス２０２によって実行されるべき必要な測定、観測など、（ｉｉｉ）測定値、観測値などを取得するためのトリガ条件、（ｉｖ）サーバ２０４に測定値、観測値などを返信して戻すためのトリガ条件、ならびに／あるいは（ｖ）クラウドソーシングのための暫定ソースなどを示し得る。サーバ２０４は、２０８において、たとえば、（ｉ）特定のＷｉＦｉ  ＡＰおよび／もしくはＢＴＬＥ  ＡＰのアドレス（たとえば、ＭＡＣアドレス）、（ｉｉ）特定のフェムトセルおよびスモールセルのためのセルグローバル識別子（ＩＤ）、（ｉｉｉ）特定のネットワーク事業者に属するすべてのＡＰ、フェムトセル、基地局が暫定として扱われるべきであると理解した上でのこれらのネットワーク事業者の識別情報もしくはアドレス（たとえば、モバイル国コード（ＭＣＣ）およびモバイルネットワークコード（ＭＮＣ））、（ｉｖ）ベニューオーナーまたはＷＬＡＮオーナーに属するすべてのＡＰおよびフェムトセルが暫定として扱われるべきであると理解した上での（たとえば、ＳＳＩＤ中でもしくは他のＩＥＥＥ８０２．１１シグナリングを介して示される）これらのベニューオーナーもしくはＷＬＡＮ事業者の名前もしくは識別情報、（ｖ）特定のベニュー、建築物、建築物複合体、町、都市、州もしくは国に対応するなどの、特定の地理的エリアまたは都市エリア内のすべてもしくはいくつかのタイプのＡＰ、フェムトセル、基地局が暫定として扱われるべきであると理解した上でのその地理的および／もしくは都市エリア、ならびに／または（ｖｉ）特定のタイプに一致するすべてのＡＰ、フェムトセルおよび／もしくは基地局が暫定として扱われるべきであると理解した上でのこれらのタイプのＡＰおよび／もしくはフェムトセル（たとえば、８０２．１１ｇ、８０１．１１ｂ、ＢＴＬＥ）を与えることによってクラウドソーシングの暫定ソースを識別し得る。２０８におけるクラウドソーシング要求メッセージは、ＬＰＰ／ＬＰＰｅロ��ーション情報メッセージを備え得、および／または、ほんの１つの可能な実装形態を示せば、モバイルデバイス２０２とサーバ２０４との間のＳＵＰＬセッションの一部として転送され得る。
【００６１】
[0066]いくつかの例では、２０８において要求メッセージを受信すると、モバイルデバイス２０２は、２０８において要求された１つまたは複数のＡＰ、フェムトセルおよび／または基地局などについての情報と測定値と観測値とを取得し得、２１２において暫定ソースに遭遇または別の方法で発見するより前になど、２１０においてサーバ２０４に取得された情報と測定値と観測値とを含んでいる１つまたは複数の測定報告を送り得る。２１２において暫定ソースに遭遇するより前の２１０における測定報告の転送は、いくつかの例示的な実装形態では、たとえば、２０８において、クラウドソーシングのためのすべてのソースが暫定として示された場合、または２１０においてクラウドソーシング測定値を取得し報告することが可能になるより前に、モバイルデバイス２０２が、２１２において暫定ソースを発見する場合、随意であり得ることに留意されたい。
【００６２】
[0067]２１２において、モバイルデバイス２０２は、２０８において暫定であるとして示された少なくとも１つのクラウドソーシングソースを発見する。たとえば、２１２の直前に、モバイルデバイス２０２は、あるアドレス（たとえば、ＷｉＦｉもしくはＢＴＬＥ  ＡＰの場合はＭＡＣアドレス、またはフェムトセルの場合はグローバルセルＩＤ）をもつ、特定のタイプ（たとえば、ＩＥＥＥ８０２．１１ｂ、ＩＥＥＥ８０２．１１ｎ、ＢＴＬＥ、ＬＴＥなど）のＷｉＦｉ  ＡＰの場合はあるＳＳＩＤをもつ、および／または特定のエリア内にあるＷｉＦｉ  ＡＰ、ＢＴＬＥ  ＡＰまたはフェムトセルから信号を受信し得、ここで、特定のアドレス、（たとえば、特定のネットワーク事業者もしくはオーナーに対応する）特定のアドレスの一部分、特定のタイプ、特定のＳＳＩＤ（または特定のＳＳＩＤの一部分）および／または特定のエリアは、２０８において、暫定としてクラウドソーシングソースを識別するときに含まれた。モバイルデバイス２０２は、次いで、暫定クラウドソーシングソースに遭遇したと推論し得る。結果として、２１４において、モバイルデバイス２０２は、クラウドソーシングのための暫定ソースが発見されたことをサーバ２０４に示すクエリを送り得る。
【００６３】
[0068]２１４においてモバイルデバイス２０２によって送られたクエリは、暫定として指定され、２１２においてモバイルデバイス２０２によって発見されたソースについての識別情報を含み得る。時々、識別情報は、アクセスポイントのためのアドレス（たとえば、ＭＡＣアドレスなど）、基地局、フェムトセル、スモールセル、ホーム基地局などによってサポートされるセルの識別情報（たとえば、グローバルセルＩＤなど）、あるタイプのアクセスポイント（たとえば、ＩＥＥＥ８０２．１１タイプ、ＢＴＬＥタイプなど）、モバイルデバイス２０２のための現在のロケーションまたは近似ロケーション、モバイルデバイス２０２のためのロケーション履歴、モバイルデバイス２０２が位置する地理的エリアなどを含み得る。いくつかの実施形態では、モバイルデバイス２０２はまた、たとえば、それの識別情報を与え得る。
【００６４】
[0069]随意に、２１４におけるクエリの受信後に、サーバ２０４は、２２０において、追加情報についてモバイルデバイス２０２に問い合わせ得、モバイルデバイス２０２は、２２２において応答を送り得る。２２０および２２２におけるクエリおよび応答は、いくつかの実施形態では行われないことがある。２２０におけるクエリは、モバイルデバイス２０２に、（ｉ）モバイルデバイス２０２に現在可視であるおよび／もしくは最近（たとえば、最後の５〜３０分）可視であった１つもしくは複数の可視のアクセスポイント、フェムトセル、基地局の識別情報、（ｉｉ）モバイルデバイス２０２の地理的ロケーション、（ｉｉｉ）サーバ２０４がモバイルデバイス２０２のためのロケーションを決定することを可能にし得るモバイルデバイス１００による測定値（たとえば、Ａ−ＧＮＳＳ、ＯＴＤＯＡ、ＷｉＦｉ  ＡＰのための測定値）、（ｉｖ）ネットワーク１３０についての識別情報など、モバイルデバイス２０２に可視のおよび／もしくはモバイルデバイス２０２に最近（たとえば、最後の５〜３０分）可視の１つもしくは複数のネットワークの識別情報、（ｖ）モバイルデバイス２０２に可視または最近可視の１つもしくは複数のアクセスポイントによってブロードキャストされたＳＳＩＤ、（ｖｉ）モバイルデバイス２０２のロケーション履歴、ならびに／または（ｖｉｉ）モバイルデバイス２０２に可視および／もしくは最近可視の１つもしくは複数のアクセスポイント、フェムトセルなどのタイプなどの特定の追加情報を要求し得る。
【００６５】
[0070]２２２においてモバイルデバイス２０２によってサーバ２０４に送られた応答は、２２０において要求された情報の一部もしくは全部を含み得、および／または２２０において特に要求されなかった情報を含み得る。サーバ２０４は、サーバ２０４によって許可される場合、モバイルデバイス２０２がクラウドソーシング観測値、測定値などを与え得る、モバイルデバイス２０２の近傍にあるクラウドソーシングの１つまたは複数のソース（たとえば、アクセスポイント、基地局、ワイドエリアネットワーク、ローカルエリアネットワーク、ベニュー、団体、などの識別情報）を識別するために、２１４において受信された暫定ソースに関係する情報および／または、もしあれば、２２２において受信された情報を使用し得る。一実施形態では、２２０におけるクエリは、ＬＰＰ／ＬＰＰｅロケーション情報要求メッセージまたはＬＰＰ／ＬＰＰｅロケーション情報提供を備え得、２２２における応答は、ＬＰＰ／ＬＰＰｅロケーション情報要求メッセージまたはＬＰＰロケーション情報提供メッセージを備え得、それぞれ、モバイルデバイス２０２とサーバ２０４との間のＳＵＰＬセッションの一部として転送され得る。
【００６６】
[0071]２２６にさらに示すように、サーバ２０４は、適切なネットワーク（たとえば、ネットワーク１３０）を介してデータベース２０６に問い合わせ得、２２８においてデータベースから応答を受信し得る。データベース２０６は、サーバ２４０、２５０もしくは２５５のうちの１つに対応し得、またはシステム１０の一部ではない何らかの他のサーバに対応し得る。データベース２０６は、ＷｉＦｉおよび／またはＢＴＬＥ  ＭＡＣアドレスのナショナルレジスタ、ネットワークＩＤ、ベニューＳＳＩＤおよび／またはセルグローバルＩＤであり得る。データベース２０６は、代わりに、ＷｉＦｉおよび／もしくはＢＴＬＥ  ＭＡＣアドレス、ネットワークＩＤ、ベニューＳＳＩＤおよび／もしくはセルグローバルＩＤの地域（たとえば、州レベル）データベースまたはネットワーク事業者、消費者グループもしくは何らかの他の団体によって所有および運営される同様のデータベースであり得る。データベース２０６は、データベース２０６中で直接または間接的に識別される様々なＷｉＦｉ  ＡＰ、ＢＴＬＥ  ＡＰ、フェムトセル、基地局、ネットワークなどのための許可されたおよび／または許可されないタイプのクラウドソーシングを示す情報を含み得る。ＷｉＦｉ  ＡＰ、ＢＴＬＥ  ＡＰ、フェムトセル、基地局、ネットワークなどのオーナーおよび／またはマネージャは、許可されたおよび／または許可されないタイプのクラウドソーシングでデータベース２０６（図２に図示せず）を周期的に更新し得る。一実施形態では、データベース２０６は、どのＷｉＦｉ  ＡＰ、ＢＴＬＥ  ＡＰ、フェムトセル、基地局、ネットワークなどのためにクラウドソーシングが許可されるおよび／もしくは許可されないのか、ならびに／または、異なるＷｉＦｉ  ＡＰ、ＢＴＬＥ  ＡＰ、フェムトセル、基地局、ネットワークなどのためにどのタイプのクラウドソーシング情報、測定値および観測値を取得およびクラウドソーシングするのが許可されるおよび／もしくは許可されないのかに関する最終権限として働き得る。
【００６７】
[0072]２２６におけるクエリは、モバイルデバイスが、現在可視であるかもしくは最近可視であるとして、および／または２１２において暫定として発見されたとして２１４においておよび／または２２２において報告していることがある特定のＡＰ、フェムトセル、基地局、ネットワークおよび／またはベニューなどのアドレスまたは識別情報を与え得る。２２６におけるクエリは、同じくまたは代わりに、サーバ２０４が、２１４においておよび／または２２２において受信された情報に基づいてモバイルデバイス２０２の近くにあるものとして決定していることがある特定のＡＰ、フェムトセル、基地局、ネットワークおよび／またはベニューなどのアドレスまたは識別情報を与え得る。
【００６８】
[0073]２２８における応答は、１つまたは複数のアクセスポイント、基地局、フェムトセル、ネットワーク、ベニューおよび／または団体などの識別情報を含み得る。２２８における応答は、さらに、識別されたアクセスポイント、基地局、フェムトセル、ネットワーク、ベニューおよび／または団体などの各々のための許可されたレベルのクラウドソーシングを明示的にまたは暗黙的に示し得る。２２８において示されたクラウドソーシングの許可されたレベルは、クラウドソーシングが、許可されたこと、許可されないこと、および／または特定の制限付きで許可されることを示すことを備え得る。２２８において示される特定の制限は、許可される特定の観測値、測定値など（たとえば、ＲＳＳＩのみ、ＲＴＴおよびＳ／Ｎのみなど）、および／または、許可されない観測値、測定値など（たとえば、ＲＴＴ以外およびロケーション以外など）を示し得る。随意にまたは代替的に、２２８における応答は、（たとえば、２２６における要求中で識別された一部または全部の暫定ソースの識別情報が、２２６において含まれた暫定ソースの識別情報からサーバ２０４によって推論され得る場合）ソースを明示的に識別することなしにこれらのソースのためにクラウドソーシングが許可されるのか、許可されないのか、および／または制限付きで許可されるのかを示し得る。サーバ２０４は、（たとえば、モバイルデバイス２０２または何らかの他のモバイルデバイスが、許可されたクラウドソーシングなどに関する別のクエリを後で送る場合）後で使用するために２２８において受信されたあらゆる情報の少なくとも一部分を記憶し得る。
【００６９】
[0074]一実装形態によれば、２１４、２２２、および２２８のうちの１つまたは複数に続いて、サーバ２０４は、２３０において、特定のアクセスポイント、基地局、フェムトセル、ネットワーク、ベニューおよび／または団体などのクラウドソーシングの１つまたは複数のソースのためにクラウドソーシングが許可されるのか、許可されないのか、および／または制限付きで許可されるのかを決定し得る。クラウドソーシングの特定のソースは、（ｉ）２１２において暫定であるとしてモバイルデバイスによって発見され、２１４において報告されたソース、（ｉｉ）２１４においておよび／または２２２においてモバイルデバイス２０２に可視であるかまたは最近可視であるとして報告された他のソース、（ｉｉｉ）（たとえば、２１４においておよび／または２２２においてモバイルデバイスによって与えられたロケーション関連情報に基づいて）モバイルデバイス２０２の近くにあるものとしてサーバ２０４によって識別されたソース、ならびに／あるいは（ｉｖ）（たとえば、２１４においておよび／もしくは２２２においてモバイルデバイス２０２によって与えられたロケーション履歴中のロケーションにあるかまたはその近くにある、ならびに／またはそのようなロケーション履歴中で頻繁に発生するロケーションにあるかまたはその近くにあるロケーションにあるので）関係していることがある、モバイルデバイス２０２から遠く離れているソースを含むかまたは備え得る。
【００７０】
[0075]２３０における決定は、示されたように、もしあれば、２２８において受信された情報および／またはサーバ２０４に記憶された情報に少なくとも部分的に基づき得る。サーバ２０４は、２１４において報告された暫定クラウドソーシングソースのための、２１４において報告されたいくつかの（たとえば、個別のなどの）暫定クラウドソーシングソースのための、２１４において報告された暫定クラウドソーシングソースの異なるサブセット（たとえば、同じネットワーク、事業者、団体もしくはベニューなどに関連するかもしくはそれに属するサブセット）のための、ならびに／またはモバイルデバイス２０２に近接し得るかもしくはモバイルデバイス２０２に何らかの方法で関連付けられ得る、２１４において報告されなかったクラウドソーシングソースのための、許可されたクラウドソーシングのレベル（たとえば、なし、全部、または特定の測定値、観測値など）を決定し得る。サーバ２０４は、さらに、許可されたクラウドソーシングのレベルのうちの１つ、いくつか、またはすべてを適用し得る地理的エリア、時間および／または継続時間を決定し得る。たとえば、地理的エリアは、クラウドソーシングの許可されたレベルをモバイルデバイス２０２がどこに適用することが望まれ、および／または有用であり得るかを示し得、時間および／または継続時間は、クラウドソーシングの許可されたレベルをモバイルデバイス２０２がいつ適用することが望まれ、および／または有用であり得るかを示し得る。示された地理的エリアの外ならびに／または示された時間および／もしくは継続時間の外などのいくつかの例では、モバイルデバイス２０２がクラウドソーシングの許可されたレベルについてサーバ２０４に問い合わせることが有用であり、および／または望まれ得る。たとえば、動作２２６および２２８がいくつかの例示的な実装形態ではないことがあるか、または動作２２０〜２２２より前に実装され得ることに留意されたい。
【００７１】
[0076]２３４にさらに示すように、サーバ２０４は、モバイルデバイス２０２に許可されたクラウドソーシングのレベルを示すメッセージを送り得、これは、クラウドソーシングのための特定のソースの識別情報またはそれに関係する情報、そのような各ソースのためにクラウドソーシングが許可されるのか、許可されないのか、または制限付きで許可されるのか、クラウドソーシングが制限を伴って許可される場合は特定の制限、クラウドソーシングのための時間、継続時間、および／または地理的エリアなど、２３０においてサーバ２０４によって決定された許可されるおよび／または許可されないクラウドソーシングのタイプの一部または全部を含み得る。次に、モバイルデバイス２０２は、（たとえば、２０８において与えられたトリガによって示された）一回または、いくつかの別個の回数、２３４において示された許可および／または制限に一致するクラウドソーシング情報と測定値と観測値とを取得し、２３６においてサーバ２０４に情報と測定値と観測値とを報告し得る。一実施形態では、２１４におけるクエリは、ＬＰＰ／ＬＰＰｅロケーション情報要求メッセージ、ＬＰＰ／ＬＰＰｅロケーション情報提供メッセージ、またはＬＰＰ／ＬＰＰｅ支援データ要求メッセージなどのＬＰＰ／ＬＰＰｅメッセージを備え得、これは、モバイルデバイス２０２とサーバ２０４との間のＳＵＰＬセッションの一部として転送され得る。いくつかの事例では、２３４における応答は、ＬＰＰ／ＬＰＰｅロケーション情報要求メッセージ、ＬＰＰ／ＬＰＰｅロケーション情報提供メッセージ、またはＬＰＰ／ＬＰＰｅ支援データ提供メッセージなどのＬＰＰ／ＬＰＰｅメッセージを備え得、これは、モバイルデバイス２０２とサーバ２０４との間のＳＵＰＬセッションの一部として転送され得る。もちろん、これらは、少なくとも部分的に本明細書で使用され得るメッセージに関係する例にすぎず、請求する主題は、そのように限定されない。
【００７２】
[0077]メッセージ交換プロセス２００のいくつかの実施形態では、いくつかの（たとえば、物理的に）異なるサーバが、サーバ２０４について上記で説明した機能を実行し得る。たとえば、第１のサーバは、２０８において要求メッセージを送り得、第２のサーバは、（２１０が行われる場合）２１０においておよび２３６においてクラウドソーシングされた報告を受信し得、第３のサーバは、２１４においてクエリを受信し、（２２２が行われる場合）２２２において応答を受信し、（２２８が行われる場合）２２８において応答を受信し得、（２２０が行われる場合）２２０においてクエリを送り、（２２６が行われる場合）２２６においてクエリを送り、２３４において応答を送り得る。第１のサーバは、モバイルデバイス２０２によるクラウドソーシングを誘発し、場合によっては終了する制御サーバであり得る。第２のサーバは、モバイルデバイス２０２および他のモバイルデバイスからのクラウドソーシング報告を受信し、記憶するデータサーバであり得る。第３のサーバは、クラウドソーシングのためのプライバシーを制御するプライバシー制御サーバであり得る。いくつかの実施形態では、第１および第３のサーバ、第１および第２のサーバ、または第２および第３のサーバは、同じサーバであり得る。別個のサーバ（たとえば、第１のサーバ、第２のサーバおよび／または第３のサーバ）の使用は、別個のサーバがなぜ有用であり得るのかの例として、いくつかのサーバに対する負荷を低減すること、特定のタスクに特化し、そのために設計されたサーバを使用可能にすること、機密の（たとえば、クラウドソーシングされた）データへのアクセスを制限すること、特定のエンティティまたは団体にモバイルデバイス２０２の制御を制限すること、いくつかの認証されたエンティティまたは団体にプライバシーの制御を制限することを行うために好都合であるか、さらには必要になり得る。いくつかの実施形態では、第１のサーバは、たとえば、２０８において送られる要求の一部として、モバイルデバイス２０２に、第２のサーバのアドレス（たとえば、完全修飾ドメイン名（ＦＱＤＮ：fully qualified domain name）もしくはＩＰアドレス）および／または第３のサーバのアドレス（たとえば、ＦＱＤＮもしくはＩＰアドレス）を与え得る。これにより、モバイルデバイス２０２は、（２１０が行われる場合）２１０においておよび２３６においてクラウドソーシング報告を送り、２１４において正しいサーバにクエリを送ることが可能になり得る。
【００７３】
[0078]図３に、図１のモバイルデバイス１００および／または図２のモバイルデバイス２０２などのモバイルデバイスにおいてまたはそれとともに使用するためのクラウドソーシングのためのプライバシーの制御を可能にするための１つまたは複数の動作または技法を容易にするかまたはサポートするために全体的にまたは部分的に実行され得る例示的なプロセス３００の実装形態を示す流れ図を示す。いくつかの例では、例示的なプロセス３００は、図１のサーバ１４０、１５０、および／または１５５のうちの１つまたは複数、図２のサーバ２０４、ＳＬＰなどの好適なサーバデバイスにおいてまたはそれによって実行され得る。たとえば、例示的なプロセス３００に関連する入力信号、出力信号、動作、結果、メッセージなど、収集または生成された情報が、１つまたは複数のＲＦデジタル信号を介して表され得ることに留意されたい。１つまたは複数の動作について、同時に、またはある順序に関して図示または説明されているが、他の順序または同時動作が採用され得ることを諒解されたい。加えて、以下の説明は、いくつかの他の図に示される特定の態様または特徴に言及するが、１つまたは複数の動作は、他の態様または特徴とともに実行され得る。
【００７４】
[0079]例示的なプロセス３００は、動作３０２において開始し、サーバデバイスにおいて、クラウドソーシング観測値を取得するための候補として少なくとも１つのソースを識別するモバイルデバイス（たとえば、モバイルデバイス１００またはモバイルデバイス２０２などのモバイルデバイス）から第１のメッセージを受信し得る。動作３０２は、メッセージ交換プロセス２００中の２１４におけるクエリを受信することに対応し得る。上記で説明したように、クラウドソーシング観測値を取得するための候補は、暫定としてサーバデバイスによって指定された任意のソースを備え得る。暫定ソースは、（ｉ）特定のタイプのワイヤレスアクセスポイント（たとえば、ＩＥＥＥ８０２．１１  ＷｉＦｉアクセスポイント、Ｂｌｕｅｔｏｏｔｈ  ＡＰ、ＢＴＬＥ  ＡＰ、フェムトセル、ＬＴＥフェムトセル）、（ｉｉ）特定の環境（たとえば、屋内、屋外、ビルの谷間など）、（ｉｉｉ）特定の地理的エリア、（ｉｖ）（たとえば、ＳＳＩＤもしくはベニュー名を使用して識別され得る）特定のベニュー、（ｖ）いくつかのタイプのＷｉＦｉ  ＳＳＩＤ（たとえば、「ｎｏｍａｐ」指示などを含んでいるＳＳＩＤ）、（ｖｉ）特定のネットワークタイプ（たとえば、ＬＴＥネットワーク、ＷｉＦｉネットワーク）、（ｖｉｉ）（たとえば、ＭＣＣおよびＭＮＣなどのネットワーク事業者ＩＤを使用して識別される）特定のネットワーク事業者、ならびに／または（ｖｉｉｉ）特定のタイプのＡＰおよび／もしくはフェムトセル（たとえば、ＩＥＥＥ８０２．１１ａ、ＩＥＥＥ８０２．１１ｂ、ＩＥＥＥ８０２．１１ｎ、ＢＴＬＥ、ＢＴＬＥバージョン４．０、ＬＴＥなど）を含むかまたはそれによって識別され得る。少なくとも１つのソースを識別するために、モバイルデバイスは、動作３０２において、アクセスポイントについての識別情報（たとえば、ＭＡＣアドレス）、フェムトセルについての識別情報（たとえば、グローバルセルＩＤ）、モバイルデバイスのための地理的ロケーション、モバイルデバイスのためのロケーション履歴、（たとえば、緯度、経度および場合によっては高度などの地理的座標を使用して定義されるか、または１つもしくは複数の都市ロケーションを使用して定義される）地理的エリア、アクセスポイントのタイプ（たとえば、ＩＥＥＥ８０２．１１ａ、ＩＥＥＥ８０２．１１ｇ、ＢＴＬＥ）、ネットワーク事業者の識別情報（たとえば、ＭＣＣおよびＭＮＣ）、ベニューの識別情報（たとえば、ＳＳＩＤまたはベニュー名）、フェムトセルのタイプ（たとえば、ＬＴＥ、ＷＣＤＭＡ）、あるいはこれらの任意の組合せのうちの少なくとも１つを与え得る。
【００７５】
[0080]動作３０４に関して、少なくとも１つのソースのために許可される観測値のレベルが決定され得る。動作３０４は、メッセージ交換プロセス２００中の２３０における許可の決定に対応し得る。動作３０４は、動作３０２において識別された少なくとも１つのソースのためにクラウドソーシングが許可されるのか、許可されないのか、または制限付きで許可されるのかを決定するサーバデバイスを含み得る。代替的にまたは追加として、動作３０２において識別された最小１つのソースが、（たとえば、地理的エリア、ネットワーク事業者、ベニュー、ＡＰのタイプ、フェムトセルのタイプに対応するソースのためのなどの）クラウドソーシング情報、測定値および観測値が取得され得る１つまたは複数の他のエンティティ（たとえば、ＷｉＦｉ  ＡＰ、ＢＴＬＥ  ＡＰ、フェムトセル、ネットワーク、ベニュー、ＡＰのタイプ、フェムトセルのタイプ、環境のタイプ、地理的エリア）に関連付けられる場合、サーバデバイスは、少なくとも１つのソースに関連するエンティティのうちの１つまたは複数のための許可のレベル（たとえば、すべてのクラウドソーシング測定値が許可される、クラウドソーシング測定値が許可されない、またはクラウドソーシング測定値が制限付きで許可される）を決定し得る。この場合の関連付けは、１つまたは複数の関連するエンティティを備えるか、それの近くにあるか、それを含んでいるか、またはそれとの何らかの他の関係を有する少なくとも１つのソースを指すことがある。少なくとも１つのソースのためにおよび／または１つもしくは複数の関連するエンティティのためにクラウドソーシングが制限付きで許可される場合、サーバデバイスは、少なくとも１つのソースのためにおよび／または１つもしくは複数の関連するエンティティの各々のために、識別情報、アドレス、ロケーション、ＲＳＳＩ、ＲＴＴ、Ｓ／Ｎ、ＡＯＡ、ＴＯＡ、ＲＳＴＤなどに関する測定値、観測値など、１つまたは複数の許可されたおよび／または許可されないクラウドソーシング測定値と観測値とを誘発および／または決定し得る。
【００７６】
[0081]動作３０６において、許可されたレベルを示す第２のメッセージがモバイルデバイスに送信され得る。動作３０６は、メッセージ交換プロセス２００中の２３４において送られる応答に対応し得る。許可された観測値のレベルをもつ第２のメッセージは、動作３０２において識別された少なくとも１つのソースのために、および／または１つもしくは複数の他の関連するエンティティ（たとえば、ＷｉＦｉ  ＡＰ、ＢＴＬＥ  ＡＰ、フェムトセル、ネットワーク、ベニュー、ＡＰのタイプ、フェムトセルのタイプ、環境のタイプ、地理的エリア）の各々のためにクラウドソーシングが許可されるのか、許容されないのか、または制限付きで許可されるのか、ならびにどのタイプの測定値、観測値などをクラウドソーシングすることが許可されるのかを示し得る。いくつかの例では、第２のメッセージは、（ｉ）１つまたは複数の許可および／または制限が適用され得るクラウドソーシングのための適用可能な地理的エリアおよび／またはそれの継続時間、（ｉｉ）クラウドソーシングが許可されるか、許可されないかまたは制限付きで許可される環境（たとえば、屋内対屋外）、（ｉｉｉ）クラウドソーシングが許可されるか、許可されないかまたは制限付きで許可されるネットワーク、ネットワーク事業者および／またはベニューの識別情報、（ｉｖ）クラウドソーシングが許可されるか、許可されないかまたは制限を伴って許可される時刻または曜日などを示し得る。いくつかの例では、第２のメッセージは、測定値、観測値などを取得するためのトリガ条件（たとえば、継続時間、周期的間隔など）および、時々、サーバデバイスに戻す測定値、観測値など、クラウドソーシングを実行するための全体的な期間（たとえば、１週間〜１年など）などを報告するための場合によっては他のトリガ条件（たとえば、より長い周期的間隔など）を示し得る。
【００７７】
[0082]一実施形態では、動作３０２において第１のメッセージを受信するより前に、サーバデバイスは、モバイルデバイスに第３のメッセージを送信し得、第３のメッセージは、クラウドソーシング観測値を取得するための暫定ソースとして動作３０２として識別される少なくとも１つのソースを指定し得る。第３のメッセージの送ることは、メッセージ交換プロセス２００中の２０８においてクラウドソーシング要求を送ることに対応し得る。第３のメッセージは、（ｉ）クラウドソーシングが要求されるエンティティおよびエンティティのタイプ（たとえば、ＷｉＦｉ  ＡＰ、ＢＴＬＥ  ＡＰ、ＬＴＥフェムトセル）と、（ｉｉ）クラウドソーシング測定値を取得するためのトリガ条件（たとえば、周期的間隔、特定の環境、国、地理的エリアなどにあることの検出、何らかの最小数の近くのＷｉＦｉ  ＡＰおよび／またはＢＴＬＥ  ＡＰの検出、特定のネットワークのカバレージにあることの検出）と、（ｉｉｉ）クラウドソーシング測定値および情報を報告するためのトリガ条件（たとえば、周期的間隔）と、（ｉｖ）クラウドソーシング測定値を取得し、報告するのを中止するための継続時間または他のトリガ条件と、（ｖ）クラウドソーシングが要求される各エンティティまたはエンティティの各タイプに必要とされる情報および測定値のタイプ（たとえば、そのような識別情報もしくはアドレスおよび／またはＲＳＳＩ、ＲＴＴ、Ｓ／Ｎ、ＡＯＡ、ＲＳＴＤなどの測定値）とを場合によっては指定することを含め、モバイルデバイスによってクラウドソーシングを誘発するためにサーバデバイスによって送られ得る。
【００７８】
[0083]第３のメッセージはまた、クラウドソーシングのいくつかのソースを暫定であるとして示し得る。暫定ソースは、動作３０２において識別されたソースを含み得る。暫定ソースは、概して、動作３０２において識別される特定のソースについて説明したソースのタイプのいずれかを含み得る。モバイルデバイスは、次いで、モバイルデバイスが、たとえば、識別されたソースであるか、または（たとえば、識別されたソース内にあるか、それの近くにあるか、またはそれに何らかの他の関係を有するので）識別されたソースに関連付けられる何らかのＡＰまたはフェムトセルから信号を受信することによって、動作３０２において識別された特定の暫定ソースを発見するかまたは遭遇する場合、動作３０２のための第１のメッセージを送り得る。
【００７９】
[0084]別の実施形態では、動作３０２において第１のメッセージを受信した後に、サーバデバイスは、データベースに第４のメッセージを送信し得、第４のメッセージは、動作３０２において識別された少なくとも１つのソースに関係するプライバシー情報についての要求を備え得る。サーバデバイスは、次いで、第４のメッセージによって要求されたプライバシー情報を備える第５のメッセージをデータベースから受信し得る。動作３０４において少なくとも１つのソースのために許可される観測値のレベルを決定することは、第５のメッセージ中で受信されたプライバシー情報に少なくとも部分的に基づき得る。一実施形態では、第４のメッセージを送ることは、メッセージ交換プロセス２００中の２２６においてクエリを送ることに対応し得、第５のメッセージを受信することは、メッセージ交換プロセス２００中の２２８において応答を受信することに対応し得る。第４のメッセージは、国、州または団体についてのプライバシー関連情報のリポジトリとしてのものであるデータベースに送られ得る。データベースは、次いで、第４のメッセージ中で問い合わされた少なくとも１つのソースについてのプライバシー関連情報を戻し得る。
【００８０】
[0085]別の実施形態では、動作３０２において第１のメッセージを受信した後に、サーバデバイスは、モバイルデバイスに動作３０２において識別された少なくとも１つのソースに関係する追加情報についての要求を備える第６のメッセージを送信し得る。サーバデバイスは、次いで、追加情報を備える第７のメッセージをモバイルデバイスから後で受信し得る。サーバデバイスは、次いで、第７のメッセージ中の追加情報に少なくとも部分的に基づいて動作３０４において少なくとも１つのソースのために許可される観測値のレベルを決定し得る。一実施形態では、第６のメッセージを送ることは、メッセージ交換プロセス２００中の２２０においてクエリを送ることに対応し得、第７のメッセージを受信することは、メッセージ交換プロセス２００中の２２２において応答を受信することに対応し得る。メッセージ交換プロセス２００について説明したように、第６および第７のメッセージにより、モバイルデバイスの地理的ロケーション、モバイルデバイスのためのロケーション履歴、モバイルデバイスのための環境のタイプ、地理的エリア（たとえば、どこにモバイルデバイスが位置するか）、（たとえば、モバイルデバイスに可視の）ベニューの識別情報、モバイルデバイスにカバレージを与えるネットワークまたはネットワーク事業者の識別情報、可視のＡＰおよび／またはフェムトセルの識別情報またはアドレス、（たとえば、モバイルデバイスに可視の）ＡＰのタイプおよび／またはフェムトセルのタイプなど、動作３０２において識別された少なくとも１つのソースに関係するおよび／またはそれに固有の情報を、それぞれ、サーバデバイスが要求し、モバイルデバイスが戻すことが可能になり得る。追加情報は、サーバデバイスが動作３０４における少なくとも１つのソースのためにおよび／またはこのソースに関連する他のソースのために許可される観測値のレベルを決定するのを支援し得る。
【００８１】
[0086]図４は、図１のモバイルデバイス１００、図２のモバイルデバイス２０２、および／またはＳＥＴなどのモバイルデバイスにおいてまたはそれとともに使用するためのクラウドソーシングのためのプライバシーの制御を可能にするための１つまたは複数の動作または技法を容易にするかまたはサポートするために全体的にまたは部分的に実行され得る例示的なプロセス４００の実装形態を示す流れ図である。例示的なプロセス４００は、動作４０２において開始し、モバイルデバイスにおいて、クラウドソーシング観測値を取得するための候補として少なくとも１つのソースを識別する第１のメッセージを送信し得る。一実施形態では、第１のメッセージを送信することは、メッセージ交換プロセス２００中の２１４においてクエリを送ることに対応し得る。時々、第１のメッセージは、上記で説明したように、クラウドソーシング要求に応答してモバイルデバイスによって送られるクエリを備え得、暫定として指定されたおよび／またはモバイルデバイスによって遭遇された任意のソースについての識別情報または他の好適な情報を含み得る。たとえば、第１のメッセージは、アクセスポイントについての識別情報（たとえば、ＭＡＣアドレス）、フェムトセルについての識別情報（たとえば、グローバルセルＩＤ）、地理的ロケーション（たとえば、モバイルデバイスのための現在のまたは最近の地理的ロケーション）、モバイルデバイスのためのロケーション履歴、（たとえば、モバイルデバイスが位置するかまたは最近位置した）地理的エリア、（たとえば、モバイルデバイスに可視の）アクセスポイントのタイプ、ネットワーク事業者の識別情報、ベニューの識別情報、フェムトセルのタイプ、またはこれらの任意の組合せを与えることによって少なくとも１つのソースを識別し得る。少なくとも１つのソースは、サーバによるクラウドソーシングのための暫定ソースとして以前に指定されていることがあり、モバイルデバイスによって発見または別の方法で遭遇されていることがある。動作４０２において識別されたソースなどの暫定ソースは、（ｉ）特定のタイプのワイヤレスアクセスポイント（たとえば、ＩＥＥＥ８０２．１１  ＷｉＦｉアクセスポイント、Ｂｌｕｅｔｏｏｔｈ  ＡＰ、ＢＴＬＥ  ＡＰ、フェムトセル、ＬＴＥフェムトセル）、（ｉｉ）特定の環境（たとえば、屋内、屋外、ビルの谷間など）、（ｉｉｉ）特定の地理的エリア、（ｉｖ）（たとえば、ＳＳＩＤもしくはベニュー名を使用して識別され得る）特定のベニュー、（ｖ）いくつかのタイプのＷｉＦｉ  ＳＳＩＤ（たとえば、「ｎｏｍａｐ」指示などを含んでいるＳＳＩＤ）、（ｖｉ）特定のネットワークタイプ（たとえば、ＬＴＥネットワーク、ＷｉＦｉネットワーク）、（ｖｉｉ）（たとえば、ＭＣＣおよびＭＮＣなどのネットワーク事業者ＩＤを使用して識別される）特定のネットワーク事業者、ならびに／または（ｖｉｉｉ）特定のタイプのＡＰおよび／もしくはフェムトセル（たとえば、ＩＥＥＥ８０２．１１ａ、ＩＥＥＥ８０２．１１ｂ、ＩＥＥＥ８０２．１１ｎ、ＢＴＬＥ、ＢＴＬＥバージョン４．０、ＬＴＥなど）を含むかまたはそれに関連付けられ得る。
【００８２】
[0087]動作４０４に関して、動作４０２において識別された少なくとも１つのソースのために許可される観測値のレベルを示す第２のメッセージが受信され得る。一実施形態では、第２のメッセージを受信することは、メッセージ交換プロセス２００中の２３４において応答を受信することに対応し得る。動作４０４において受信された許可された観測値のレベルは、クラウドソーシングが（たとえば、制限なしに）許可されるのか、許可されないのか、または制限付きで許可されるのかを示し得る。制限を伴う許可の場合、動作４０４において受信された許可された観測値のレベルは、クラウドソーシングを許可されるおよび／または許可されないタイプの測定値、観測値など（たとえば、ＲＳＳＩ、ＲＴＴ、Ｓ／Ｎ、ＡＯＡ、ＲＳＴＤ）を示し得る。動作４０４において受信された許可された観測値のレベルは、同じくまたは代わりに、クラウドソーシングのための適用可能な地理的エリアおよび／またはそれの継続時間、クラウドソーシングが許可されるかまたは許可されない環境（たとえば、屋内対屋外）、クラウドソーシングが許可されるかまたは許可されないネットワーク、ネットワーク事業者および／またはベニューの識別情報などを示し得る。いくつかの例では、第２のメッセージは、測定値、観測値などを取得するためのトリガ条件（たとえば、継続時間、周期的間隔など）および、時々、サーバデバイスに測定値、観測値などを報告して戻すための場合によっては他のトリガ条件（たとえば、より長い周期的間隔など）などを備え得る。実装形態によっては、動作４０４において受信された許可された観測値のレベルは、上記で説明したように、好適なデータベース（たとえば、ＡＰ  ＭＡＣアドレス、ネットワークＩＤおよび／もしくはベニューＳＳＩＤなどのナショナルレジスタ）との１つまたは複数の通信、ならびに／あるいは許可されたおよび／または許可されない測定値、観測値などを示すそのようなデータベースについて以前に受信された情報などに少なくとも部分的に基づいてサーバデバイスによって決定されていることがある。
【００８３】
[0088]一実施形態では、動作４０２において第１のメッセージを送信するより前に、モバイルデバイスは、クラウドソーシング観測値を取得するための暫定ソースとして動作４０２において識別される少なくとも１つのソースを指定する第３のメッセージを受信し得る。一実施形態では、第３のメッセージを受信することは、メッセージ交換２００中の２０８において要求を受信することに対応し得る。第３のメッセージは、（ｉ）クラウドソーシングが要求されるエンティティおよびエンティティのタイプ（たとえば、ＷｉＦｉ  ＡＰ、ＢＴＬＥ  ＡＰ、ＬＴＥフェムトセル）、（ｉｉ）クラウドソーシング測定値を取得するためのトリガ条件（たとえば、周期的間隔、特定の環境、国、地理的エリアなどにあることの検出、何らかの最小数の近くのＷｉＦｉ  ＡＰおよび／もしくはＢＴＬＥ  ＡＰの検出、特定のネットワークのカバレージにあることの検出）、（ｉｉｉ）クラウドソーシング測定値および情報を報告するためのトリガ条件（たとえば、周期的間隔）、（ｉｖ）クラウドソーシング測定値を取得し、報告するのを中止するための継続時間または他のトリガ条件、ならびに／または（ｖ）クラウドソーシングが要求される各エンティティまたはエンティティの各タイプに必要とされる情報および測定値のタイプ（たとえば、そのような識別情報またはアドレス、ロケーション、ＲＳＳＩ、ＲＴＴ、Ｓ／Ｎ、ＡＯＡ、ＲＳＴＤなどの測定値）を場合によっては指定することを含め、モバイルデバイスによってクラウドソーシングを誘発するためにサーバデバイスによって送られ得る。第３のメッセージはまた、クラウドソーシングのいくつかのソースを暫定であるとして示し得る。暫定ソースは、動作４０２において識別された少なくとも１つのソースを含み得る。モバイルデバイスは、次いで、モバイルデバイスが、たとえば、識別されたソースであるか、または（たとえば、識別されたソース内にあるか、それの近くにあるか、またはそれに何らかの他の関係を有するので）識別されたソースに関連付けられる何らかのＡＰまたはフェムトセルから信号を受信することによって、動作４０２において識別された特定の暫定ソースを発見するかまたは遭遇する場合、動作４０２のための第１のメッセージを送信し得る。
【００８４】
[0089]一実施形態では、動作４０２において第１のメッセージを送信した後だが、動作４０４において第２のメッセージを受信前に、モバイルデバイスは、動作４０２において識別された少なくとも１つのソースに関係する追加情報についての要求を備える第４のメッセージを受信し得る。モバイルデバイスは、次いで、第４のメッセージ中で要求された追加情報を備える第５のメッセージを送信し得る。一実施形態では、第４のメッセージを受信することは、メッセージ交換プロセス２００中の２２０においてクエリを受信することに対応し得、第５のメッセージを送信することは、メッセージ交換プロセス２００中の２２２において応答を送ることに対応し得る。メッセージ交換プロセス２００について説明したように、第４および第５のメッセージにより、モバイルデバイスの地理的ロケーション、モバイルデバイスのためのロケーション履歴、モバイルデバイスのための環境のタイプ、地理的エリア（たとえば、モバイルデバイスが位置する）、（たとえば、モバイルデバイスに可視の）ベニューの識別情報、モバイルデバイスにカバレージを与えるネットワークまたはネットワーク事業者の識別情報、可視のＡＰおよび／またはフェムトセルの識別情報またはアドレス、（たとえば、モバイルデバイスに可視の）ＡＰのタイプおよび／またはフェムトセルのタイプなど、動作４０２において識別された少なくとも１つのソースに関係するおよび／またはそれに固有の情報を、それぞれ、サーバデバイスが要求し、モバイルデバイスが戻すことが可能になり得る。追加情報は、サーバデバイスが動作４０４において受信された少なくとも１つのソースのために許可される観測値のレベルを決定するのを支援し得る。
【００８５】
[0090]したがって、本明細書で説明するように、クラウドソーシングのためのプライバシーの制御を可能にすることは利益をもたらし得る。たとえば、本明細書で説明する１つまたは複数の動作または技法は、モバイルデバイスが、古いタイプのクラウドソーシングモバイルデバイスによってサポートされないことがある、何らかのレベルの必要とされるかまたは要求されたプライバシーをもつ特定の指示および／またはフラグなど、異なるタイプのプライバシー手順をサポートする必要を回避するのに役立ち得る。本明細書で説明するように、クラウドソーシングのためのプライバシーを可能にすることはまた、１つまたは複数のクラウドソーシング決定を行う責任からモバイルデバイスを解放し得、これは、異なる国、州、団体、などの間で異なり得、さらに、（たとえば、国または団体がある時間期間後にそれのプライバシー要件を変更する場合）時間的に異なり得る。さらに、フィルタ処理がサーバ内で行われる状態でモバイルデバイスが利用可能な情報をクラウドソースすることが許可される手法とは異なり、本明細書で説明するようにクラウドソーシングのためのプライバシーの制御を可能にすることは、より透過的および／または検証可能であり得、したがって、正しいおよび／または適切なクラウドソーシング、データプライバシー適合などをより容易に検証することが可能になり得る。当然、クラウドソーシングのためのプライバシーを可能にするいくつかの態様およびそれの利益のそのような説明は例にすぎず、請求する主題はそのように限定されない。
【００８６】
[0091]図５は、クラウドソーシングのためのプライバシーの制御を可能にするための１つまたは複数の動作または技法を容易にするかまたはサポートするために少なくとも部分的に使用され得るモバイルデバイスに関連する例示的なコンピューティング環境の実装形態の概略図である。例示的なコンピューティング環境は、請求する主題はそのように限定されないが、図１のモバイルデバイス１００および／または図２のモバイルデバイス２０２および／または図４のプロセス４００を実行するモバイルデバイスの１つまたは複数の特徴または態様を含み得るモバイルデバイス５００を備え得る。たとえば、いくつかの例では、モバイルデバイス５００は、適切なワイヤレス通信ネットワークを介するアンテナ５０６を介してなど、５０４で全般に参照されるワイヤレス信号を送信または受信することが可能なワイヤレストランシーバ５０２を備え得る。ワイヤレストランシーバ５０２は、１つの可能な例として図１〜図４を参照しながら説明した１つまたは複数の通信などの１つまたは複数の好適な通信を送ることまたは受信することが可能であり得る。ワイヤレストランシーバ５０２は、モデムプロセッサ５３６と場合によっては併せて、クラウドソーシングをサポートするために本明細書で説明する測定値、観測値および／または他の情報を取得するために、ＷｉＦｉ  ＡＰ、ＢＴＬＥ  ＡＰ、フェムトセル、基地局などから信号を受信し測定するために使用され得る。
【００８７】
[0092]ワイヤレストランシーバ５０２は、ワイヤレストランシーババスインターフェース５１０を介してバス５０８に結合または接続され得る。実装形態に応じて、時々、ワイヤレストランシーババスインターフェース５１０は、ワイヤレストランシーバ５０２と少なくとも部分的に統合され得る。いくつかの実装形態は、ほんの数例を挙げると、ＩＥＥＥ８０２．１１  ＷｉＦｉ、符号分割多元接続（ＣＤＭＡ）、広帯域ＣＤＭＡ（ＷＣＤＭＡ）、ロングタームエボリューション（ＬＴＥ）、Ｂｌｕｅｔｏｏｔｈなど、対応する複数のワイヤレス通信規格に従って、信号を送信または受信することを可能にするために、複数のワイヤレストランシーバ５０２またはアンテナ５０６を含み得る。
【００８８】
[0093]一実装形態では、モバイルデバイス５００は、（アンテナ５０６と同じであることも異なることもある）ＳＰＳまたは同様のアンテナ５１６を介してなど、１つまたは複数のＳＰＳまたは他の好適なワイヤレス信号５１４を受信するかまたは収集することが可能なＳＰＳまたは同様の受信機５１２を備え得る。ＳＰＳ受信機５１２は、モバイルデバイス５００の粗いまたはそれ以外のロケーションを（たとえば、ロケーションサーバによって）推定するかまたは使用可能にするために、１つまたは複数の収集されたＳＰＳ信号５１４を全体的または部分的に処理し得る。いくつかの例では、１つまたは複数の汎用アプリケーションプロセッサ５１８、メモリ５２０、デジタルシグナルプロセッサ（ＤＳＰ）５２２、または図示していない類似の専用デバイスもしくはプロセッサが、収集されたＳＰＳ信号５１４を全体的にまたは部分的に処理するため、ＳＰＳ受信機５１２などとともにモバイルデバイス５００のロケーションを計算するかまたはその計算を可能にするためなどに利用され得る。クラウドソーシングのためのプライバシーの制御を可能にするための１つまたは複数の技法に関連するような１つまたは複数の測位動作を実施するための、ＳＰＳまたは他の信号の記憶は、メモリ５２０、適切なレジスタまたはバッファ（図示せず）の中で少なくとも部分的に実行され得る。図示されていないが、少なくとも１つの実装形態では、１つもしくは複数のプロセッサ５１８、メモリ５２０、ＤＳＰ５２２または同様の特殊なデバイスもしくはプロセッサが、クラウドソーシング観測値を取得するための候補として少なくとも１つのソースを識別する第１のメッセージを送信することと、少なくとも１つのソースのために許可されるクラウドソーシング観測値のレベルを示す第２のメッセージを受信することとを行うことが可能な１つまたは複数の処理モジュールを備え得ることを諒解されたい。１つまたは複数の処理モジュールのうちの全部または一部が、ハードウェア、ファームウェア、ソフトウェア、またはそれらの任意の組合せを使用して、または別の方法で含んで実装され得ることにも留意されたい。
【００８９】
[0094]図示のように、ＤＳＰ５２２は、バス５０８を介してプロセッサ５１８とメモリ５２０とに結合または接続され得る。図示されていないが、いくつかの例では、バス５０８は、ＤＳＰ５２２、プロセッサ５１８、メモリ５２０など、モバイルデバイス５００の１つまたは複数の適用可能な構成要素と統合され得る１つまたは複数のバスインターフェースを備え得る。様々な実施形態では、本明細書で説明する１つまたは複数の動作または機能は、ほんの数例を挙げると、ＲＡＭ、ＲＯＭ、ＦＬＡＳＨ、ディスクドライブなどのようなコンピュータ可読記憶媒体上など、メモリ５２０に記憶された１つまたは複数の機械可読命令の実行に応答して実行され得る。命令は、たとえば、プロセッサ５１８、図示していない１つまたは複数の専用プロセッサ、ＤＳＰ５２２などを介して実行可能であり得る。メモリ５２０は、本明細書で説明する動作または機能を実行するために、プロセッサ５１８、ＤＳＰ５２２などによって実行可能であり得るソフトウェアコード（たとえば、プログラミングコード、命令など）を記憶し得る、非一時的プロセッサ可読メモリ、コンピュータ可読メモリなどを備え得る。
【００９０】
[0095]モバイルデバイス５００は、ほんの数例を挙げると、スピーカー、マイクロフォン、ディスプレイデバイス、振動デバイス、キーボード、タッチスクリーンなど、いくつかのデバイスのうちのいずれか１つを含み得るユーザインターフェース５２４を備え得る。少なくとも一実装形態では、ユーザインターフェース５２４は、ユーザがモバイルデバイス５００上で提供される１つまたは複数のアプリケーションと対話することを可能にし得る。たとえば、ユーザインターフェース５２４の１つまたは複数のデバイスは、ユーザからの入力または操作に応答して、ＤＳＰ５２２、プロセッサ５１８などによってさらに処理されるために、メモリ５２０上にアナログまたはデジタルの信号を記憶し得る。同様に、モバイルデバイス５００上で提供される１つまたは複数のアプリケーションは、出力信号をユーザに提示するために、メモリ５２０内にアナログまたはデジタルの信号を記憶し得る。いくつかの実装形態では、モバイルデバイス５００は、随意に、専用のスピーカー、マイクロフォン、デジタル−アナログ回路、アナログ−デジタル回路、増幅器、利得制御などを備える専用のオーディオ入力／出力（Ｉ／Ｏ）デバイス５２６を含み得る。しかしながら、これは、オーディオＩ／Ｏデバイス５２６がいかに実装され得るかの例にすぎず、請求する主題がこの点で限定されないことを理解されたい。わかるように、モバイルデバイス５００は、キーボード、タッチスクリーンなどに加えられるタッチまたは類似の圧力に応答する、１つまたは複数のタッチセンサー５２８を備え得る。
【００９１】
[0096]一実装形態では、モバイルデバイス５００は、静止画または動画などをキャプチャするためなどの専用のまたはそれ以外のカメラ５３０を備え得る。カメラ５３０は、ほんの数例を挙げると、カメラセンサーまたは同様のイメージングデバイス（たとえば、電荷結合デバイス、相補型金属酸化物半導体（ＣＭＯＳ）タイプイメージャなど）、レンズ、アナログ−デジタル回路、フレームバッファなどを備え得る。いくつかの例では、１つまたは複数のキャプチャされた画像を表す信号の追加の処理、調整、符号化、または圧縮が、プロセッサ５１８、ＤＳＰ５２２などにおいて、少なくとも部分的に実行され得る。随意にまたは代替として、専用またはそれ以外のビデオプロセッサ５３２は、１つまたは複数のキャプチャされた画像を表す信号の調整、符号化、圧縮、または操作を実行し得る。さらに、ビデオプロセッサ５３２は、モバイルデバイス５００のディスプレイ（図示せず）上に提示するために、１つまたは複数の記憶された画像を復号または復元し得る。
【００９２】
[0097]モバイルデバイス５００は、１つまたは複数の慣性センサー、周囲環境センサーなど、バス５０８に結合または接続された１つまたは複数のセンサー５３４を備え得る。センサー５３４の慣性センサーは、ほんの数例を示すと、（たとえば、１次元、２次元、または３次元などにおけるモバイルデバイス５００の加速度に集合的に応答する）１つまたは複数の加速度計、（たとえば、１つまたは複数のコンパスまたは同様の適用例などを支援するための）ジャイロスコープまたは磁力計などを備え得る。モバイルデバイス５００の周囲環境センサーは、ほんの数例を挙げると、１つまたは複数の気圧センサー、温度センサー、周辺光検出器、カメラセンサー、マイクロフォンなどを備え得る。センサー５３４は、メモリ５２０中に記憶され得、測位またはナビゲーション動作、ワイヤレス通信、ゲームなどを対象とする１つまたは複数の適用例の支援においてなど、ＤＳＰ５２２、プロセッサ５１８などによって処理され得るアナログまたはデジタルの信号を生成し得る。
【００９３】
[0098]特定の一実装形態では、モバイルデバイス５００は、ワイヤレストランシーバ５０２、ＳＰＳ受信機５１２などを介して受信またはダウンコンバートされた信号のベースバンド処理を実行可能な、専用またはそれ以外のモデムプロセッサ５３６を備え得る。同様に、モデムプロセッサ５３６は、たとえば、ワイヤレストランシーバ５０２を介する送信のためにアップコンバートされるべき信号のベースバンド処理を実行し得る。代替実装形態では、専用のモデムプロセッサを有するのではなく、ベースバンド処理が、プロセッサ５１８、ＤＳＰ５２２などによって少なくとも部分的に実行され得る。加えて、いくつかの例では、インターフェース５３８は、別個の構成要素として示されているが、たとえば、バス５０８またはＳＰＳ受信機５１２など、モバイルデバイス５００の１つまたは複数の適用可能な構成要素に全体的または部分的に統合され得る。随意にまたは代替として、ＳＰＳ受信機５１２は、バス５０８に直接、結合または接続され得る。しかしながら、これらは、ベースバンド処理を実行し得る構成要素または構造の例にすぎないこと、および請求する主題がこの点について限定されないことを理解されたい。
【００９４】
[0099]図６は、たとえば、図１〜図４に関連して上記で説明した、クラウドソーシングのためのプライバシーの制御を可能にするための１つまたは複数の動作またはプロセスを部分的または実質的に実施または支援することが可能な１つまたは複数のサーバまたは他のデバイスを含み得る例示的なコンピューティング環境６００の実装形態を示す概略図である。コンピューティング環境６００は、通信ネットワーク６０８を介して一緒に動作可能に結合され得る第１のデバイス６０２、第２のデバイス６０４、第３のデバイス６０６などを含み得る。
【００９５】
[00100]第１のデバイス６０２、第２のデバイス６０４、または第３のデバイス６０６は、通信ネットワーク６０８上で情報を交換可能であり得る任意のデバイス、機器、プラットフォーム、または機械を表し得る。限定ではなく例として、第１のデバイス６０２、第２のデバイス６０４、または第３のデバイス６０６のいずれかは、サーバ１４０、１５０、１５５もしくは２０４、データベース２０６、または図３のプロセス３００を実行するサーバのいずれかに対応し得る。第１のデバイス６０２、第２のデバイス６０４、または第３のデバイス６０６のいずれかは、デスクトップコンピュータ、ラップトップコンピュータ、ワークステーション、サーバデバイスなどの１つもしくは複数のコンピューティングデバイスもしくはプラットフォーム、携帯情報端末、モバイル通信デバイスなどの１つもしくは複数のパーソナルコンピューティングもしくは通信デバイスもしくは機器、データベースもしくは情報記憶サービスプロバイダ／システム、ネットワークサービスプロバイダ／システム、インターネットもしくはイントラネットサービスプロバイダ／システム、ポータルもしくは検索エンジンサービスプロバイダ／システム、ワイヤレス通信サービスプロバイダ／システムなどのコンピューティングシステムもしくは関連するサービスプロバイダ機能、またはそれらの任意の組合せに対応し得る。第１のデバイス６０２、第２のデバイス６０４、または第３のデバイス６０６のいずれかは、本明細書で説明する例示的な実装形態に従って、それぞれ、モバイルデバイス、ワイヤレス送信機、サーバなどのうちの１つまたは複数を備え得る。
【００９６】
[00101]一実装形態では、通信ネットワーク６０８は、第１のデバイス６０２、第２のデバイス６０４、または第３のデバイス６０６のうちの少なくとも２つの間の情報の交換を支援することが可能な１つまたは複数の通信リンク、プロセス、またはリソースを表し得る。限定ではなく例として、通信ネットワーク６０８は、ネットワーク１３０に対応し得、ワイヤレスもしくはワイヤード通信リンク、電話もしくは電気通信システム、情報バスもしくはチャネル、光ファイバー、地上波もしくは宇宙飛行体リソース、ローカルエリアネットワーク、広域ネットワーク、イントラネット、インターネット、ルータまたはスイッチなど、またはそれらの任意の組合せを含み得る。第３のデバイス６０６によって部分的に覆い隠されている破線ボックスによって示すように、通信ネットワーク６０８に動作可能に結合された追加の同様のデバイスがあり得る。本明細書で説明するように、コンピューティング環境６００内に示す様々なデバイスもしくはネットワーク、またはプロセスもしくは方法の全部または一部は、ハードウェア、ファームウェア、ソフトウェアまたはそれらの任意の組合せを使用して、または別の方法で含めて実装され得ることも認識されたい。
【００９７】
[00102]限定ではなく例として、第２のデバイス６０４は、バス６１４を介してメモリ６１２に動作可能に結合され得る少なくとも１つの処理ユニット６１０を含み得る。処理ユニット６１０は、適切なコンピューティングプロシージャまたはプロセスの少なくとも一部分を実行可能な１つまたは複数の回路を表し得る。たとえば、処理ユニット６１０は、１つもしくは複数のプロセッサ、コントローラ、マイクロプロセッサ、マイクロコントローラ、特定用途向け集積回路、デジタルシグナルプロセッサ、プログラマブル論理デバイス、フィールドプログラマブルゲートアレイなど、またはこれらの任意の組合せを含み得る。図示されていないが、第２のデバイス６０４は、ＳＰＳからなどの１つまたは複数の最近受信または収集されたワイヤレス信号に少なくとも部分的に基づいて、注目する屋内または同様のエリアの中などの対象のモバイルデバイスの粗い位置フィックスを開始し得るロケーショントラッキングユニットを含み得る。いくつかの実装形態では、ロケーショントラッキングユニットは、請求する主題はそのように限定されないが、処理ユニット６１０などの好適な処理ユニットと少なくとも部分的に統合され得る。いくつかのサーバベースのまたはサーバサポートの実装形態では、処理ユニット６１０は、クラウドソーシング観測値を取得するための候補として少なくとも１つのソースを識別する第１のメッセージをモバイルデバイスから受信するための手段と、少なくとも１つのソースのために許可される観測値のレベルを決定するための手段と、許可されたレベルを示す第２のメッセージをモバイルデバイスに送信するための手段とを備え得る。いくつかの例では、処理ユニット６１０は、第１のメッセージを受信するより前にモバイルデバイスに第３のメッセージを送るための手段、第３のメッセージは、クラウドソーシング観測値を取得するための暫定ソースとして少なくとも１つのソースを指定する、を備え得る。実装形態に応じて、処理ユニット６１０はまた、データベースに第４のメッセージを送るための手段と、第４のメッセージは、少なくとも１つのソースに関係するプライバシー情報についての要求を備える、プライバシー情報を備えるデータベースから第５のメッセージを受信するための手段と、ここにおいて、少なくとも１つのソースのために許可される観測値のレベルを決定することは、第５のメッセージ中のプライバシー情報に少なくとも部分的に基づく、を備え得る。いくつかの例では、処理ユニット６１０はまた、少なくとも１つのソースに関係する追加情報についての要求を備える第６のメッセージをモバイルデバイスに送るための手段と、追加情報を備える第７のメッセージを受信するための手段と、ここにおいて、少なくとも１つのソースのために許可される観測値のレベルを決定することは、第７のメッセージ中の追加情報に少なくとも部分的に基づく、ここにおいて、第６のメッセージは、第１のメッセージを受信した後に送られる、を備え得る。
【００９８】
[00103]メモリ６１２は、任意の情報記憶機構または機器を表し得る。メモリ６１２は、１次メモリ６１６と２次メモリ６１８とを含み得る。たとえば、１次メモリ６１６は、ランダムアクセスメモリ、読取り専用メモリなどを含み得る。この例では処理ユニット６１０とは別個であるものとして示されているが、１次メモリ６１６の全部または一部は、処理ユニット６１０内に設けられるか、または別の方法で処理ユニット６１０と共設／結合され得ることを理解されたい。２次メモリ６１８は、１次メモリまたはディスクドライブ、光ディスクドライブ、テープドライブ、ソリッドステートメモリドライブなどの１つもしくは複数の情報記憶デバイスもしくはシステムと同じまたは同様のタイプのメモリを含み得る。いくつかの実装形態では、２次メモリ６１８は、コンピュータ可読媒体６２０を動作可能に受容するか、または別の方法でそれに結合されることが可能であり得る。コンピュータ可読媒体６２０は、コンピューティング環境６００内の１つまたは複数のデバイスのために情報、コード、または命令を搬送し得るかまたはアクセス可能にし得る任意の非一時的記憶媒体を含み得る。コンピュータ可読媒体６２０はまた、記憶媒体と呼ばれることもある。
【００９９】
[00104]第２のデバイス６０４は、少なくとも通信ネットワーク６０８への第２のデバイス６０４の動作可能な結合をもたらすかまたは別の方法でそれをサポートし得る通信インターフェース６２２を含み得る。限定ではなく例として、通信インターフェース６２２は、ネットワークインターフェースデバイスまたはネットワークインターフェースカード、モデム、ルータ、スイッチ、トランシーバなどを含み得る。第２のデバイス６０４はまた、入出力デバイス６２４を含み得る。入出力デバイス６２４は、人間もしくは機械の入力を受容もしくは別の方法で導入するように構成可能であり得る１つもしくは複数のデバイスもしくは特徴、または人間もしくは機械の出力を配信もしくは別の方法で提供可能であり得る１つもしくは複数のデバイスまたは特徴を表し得る。限定ではなく例として、入出力デバイス６２４は、動作可能に構成されたディスプレイ、スピーカー、キーボード、マウス、トラックボール、タッチスクリーン、情報ポートなどを含み得る。
【０１００】
[00105]本明細書で説明した方法は、特定の特徴または例に従って適用例に応じて様々な手段によって実装され得る。たとえば、そのような方法は、ハードウェア、ファームウェア、ソフトウェア、個別／固定論理回路、それらの任意の組合せなどで実装され得る。ハードウェアまたは論理回路実装では、たとえば、処理ユニットは、ほんの数例を挙げると、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明した機能を実行するように設計された他のデバイスもしくはユニット、またはそれらの組合せの中で実装され得る。
【０１０１】
[00106]ファームウェアまたはソフトウェア実装の場合、本方法は、本明細書で説明した機能を実行する命令を有するモジュール（たとえば、プロシージャ、関数など）を用いて実装され得る。命令を有形に実施するいかなる機械可読媒体も、本明細書で説明した方法を実装する際に使用され得る。たとえば、ソフトウェアコードは、メモリに記憶され、プロセッサによって実行され得る。メモリは、プロセッサの内部またはプロセッサの外部に実装され得る。本明細書で使用する「メモリ」という用語は、長期メモリ、短期メモリ、揮発性メモリ、不揮発性メモリ、または他のメモリのいずれかのタイプを指し、メモリの特定のタイプもしくはメモリの数、またはメモリが記憶される媒体のタイプに限定されるべきではない。少なくともいくつかの実装形態では、本明細書で説明する記憶媒体の１つまたは複数の部分は、記憶媒体の特定の状態によって表される情報を表す信号を記憶し得る。たとえば、情報を表す電子信号は、情報をバイナリ情報（たとえば、１と０）として表すために、記憶媒体のそのような部分の状態に影響を及ぼすまたは変更することによって、（たとえば、メモリなど）記憶媒体の一部に「記憶」され得る。したがって、特定の実装形態では、情報を表す信号を記憶するための記憶媒体の部分の状態のそのような変更は、異なる状態または物への記憶媒体の変換を構成する。
【０１０２】
[00107]図示のように、１つまたは複数の例示的な実装形態では、説明した機能は、ハードウェア、ソフトウェア、ファームウェア、個別／固定論理回路、それらの何らかの組合せなどで実装され得る。ソフトウェアで実装する場合、機能は、１つまたは複数の命令またはコードとして物理的なコンピュータ可読媒体に記憶され得る。コンピュータ可読媒体は物理的コンピュータ記憶媒体を含む。記憶媒体は、コンピュータによってアクセスされ得る任意の利用可能な物理媒体であり得る。限定ではなく、例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令または情報構造の形態の所望のプログラムコードを記憶するために使用され得、コンピュータまたはそれのプロセッサによってアクセスされ得る、任意の他の媒体を備え得る。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、情報を磁気的に再生し、ディスク（disc）は、情報をレーザで光学的に再生する。
【０１０３】
[00108]上記で説明したように、モバイルデバイスは、１つまたは複数のワイヤレス通信技法を使用して、様々な通信ネットワークを介した情報のワイヤレス送信または受信を介して１つまたは複数の他のデバイスと通信することが可能であり得る。ここでは、たとえば、ワイヤレス通信技法は、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）などを使用して実施され得る。「ネットワーク」および「システム」という用語は、本明細書では互換的に使用されることがある。ＷＷＡＮは、符号分割多元接続（ＣＤＭＡ）ネットワーク、時間分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、ロングタームエボリューション（ＬＴＥ）ネットワーク、ＷｉＭＡＸ（登録商標）（ＩＥＥＥ８０２．１６）ネットワークなどであり得る。ＣＤＭＡネットワークは、ほんのいくつかの無線技術を挙げれば、ｃｄｍａ２０００、広帯域ＣＤＭＡ（Ｗ−ＣＤＭＡ（登録商標））、時分割同期符号分割多元接続（ＴＤ−ＳＣＤＭＡ）などの１つまたは複数の無線アクセス技術（ＲＡＴ）を実装し得る。ここで、ｃｄｍａ２０００は、ＩＳ−９５規格、ＩＳ−２０００規格、およびＩＳ−８５６規格に従って実装される技術を含み得る。ＴＤＭＡネットワークは、モバイル通信用グローバルシステム（ＧＳＭ：Global System for Mobile Communications）、デジタルアドバンストモバイルフォンシステム（Ｄ−ＡＭＰＳ：Digital Advanced Mobile Phone System）、または何らかの他のＲＡＴを実装し得る。ＧＳＭおよびＷ−ＣＤＭＡは、「第３世代パートナーシッププロジェクト」（３ＧＰＰ）と称する団体からの文書に記載されている。ｃｄｍａ２０００は、「第３世代パートナーシッププロジェクト２」（３ＧＰＰ２）と称する団体からの文書に記載されている。３ＧＰＰおよび３ＧＰＰ２の文書は、公に入手可能である。たとえば、ＷＬＡＮは、ＩＥＥＥ８０２．１１ｘネットワークを含み得、ＷＰＡＮは、Ｂｌｕｅｔｏｏｔｈネットワーク、ＩＥＥＥ８０２．１５ｘネットワーク、または他の何らかのタイプのネットワークを含み得る。本技法はまた、ＷＷＡＮ、ＷＬＡＮ、またはＷＰＡＮの任意の組合せに関して実装され得る。ワイヤレス通信ネットワークは、たとえば、ロングタームエボリューション（ＬＴＥ）、Ａｄｖａｎｃｅｄ  ＬＴＥ、ＷｉＭＡＸ、Ｕｌｔｒａ  Ｍｏｂｉｌｅ  Ｂｒｏａｄｂａｎｄ（ＵＭＢ）など、いわゆる次世代技術（たとえば、「４Ｇ」）を含み得る。
【０１０４】
[00109]一実装形態では、モバイルデバイスは、たとえば、ロケーションを推定すること、好適なサーバと通信することなどの目的などで１つまたは複数のフェムトセルとの通信が可能であり得る。本明細書で使用する「フェムトセル」は、１つまたは複数の適正な技法を使用してモバイルデバイスから送信されるワイヤレス信号を検出可能であり得る１つまたは複数のより小サイズのセルラー基地局を指し得る。一般的に、必ずしも必要ではないが、フェムトセルは、数ある中でもほんのいくつかの例を挙げれば、たとえばＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＴＭＳ）、ロングタームエボリューション（ＬＴＥ）、Ｅｖｏｌｕｔｉｏｎ−Ｄａｔａ  ＯｐｔｉｍｉｚｅｄまたはＥｖｏｌｕｔｉｏｎ−Ｄａｔａ  Ｏｎｌｙ（ＥＶ−ＤＯ）、ＧＳＭ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）、符号分割多元接続（ＣＤＭＡ）２０００、または時分割同期符号分割多元接続（ＴＤ−ＳＣＤＭＡ）など、様々なタイプの通信技法を使用することができ、または別の方法で様々なタイプの通信技法に適合し得る。いくつかの実装形態では、たとえば、フェムトセルは統合されたＷｉＦｉを備え得る。ただし、フェムトセルに関するそのような詳細は例にすぎず、請求する主題はそのように限定されない。
【０１０５】
[00110]いくつかの実装形態では、モバイルデバイスは、たとえば、ロケーションを推定すること、好適なサーバと通信することなどの目的などで１つまたは複数のアクセスポイントとの通信が可能であり得る。本明細書で使用する「アクセスポイント」という用語は、たとえば、ワイヤレスローカルエリアネットワークなどのワイヤレス通信システムにおける通信を容易にするために少なくとも部分的に使用される任意のワイヤレス通信局および／またはデバイスを含むように意図されるが、請求する主題の範囲はこの点について限定されない。また、本明細書で使用する「アクセスポイント」と「ワイヤレス送信機」という用語は、互換的に使用され得る。別の態様では、アクセスポイントは、たとえば、ワイヤレスローカルエリアネットワーク（ＷＬＡＮ）アクセスポイントを備え得る。そのようなＷＬＡＮは、一態様では、ＩＥＥＥ規格８０２．１１の１つまたは複数のバージョンと互換性のあるおよび／またはそれに準拠するネットワークを備え得るが、請求する主題の範囲はこの点について限定されない。ＷＬＡＮアクセスポイントは、たとえば、１つまたは複数のモバイルデバイスとインターネットなどのネットワークとの間の通信を与え得る。
【０１０６】
[00111]また、適用可能な場合、コンピュータ可読コードまたは命令は、送信機から受信機に物理伝送媒体上で信号を介して（たとえば、電気デジタル信号を介して）送信され得る。たとえば、ソフトウェアは、同軸ケーブル、光ファイバーケーブル、ツイストペア、デジタル加入者回線（ＤＳＬ）、または赤外線、無線、およびマイクロ波などのワイヤレス技術の物理構成要素を使用してウェブサイト、サーバ、または他のリモートソースから送信され得る。上記の組合せも物理伝送媒体の範囲内に含まれ得る。そのようなコンピュータ命令は、異なる時間に（たとえば、第１および第２の時間に）部分（たとえば、第１および第２の部分）ごとに送信され得る。この発明を実施するための形態のいくつかの部分は、特定の装置または専用コンピューティングデバイスもしくはプラットフォームのメモリ内に記憶され得る２値デジタル信号に対する演算のアルゴリズムまたは記号表現に関して提示された。この特定の明細書の文脈では、特定の装置などの用語は、プログラムソフトウェアからの命令に従って特定の関数を実行するようにプログラムされた後の汎用コンピュータを含む。アルゴリズムの説明または記号表現は、信号処理または関連技術の当業者が各自の仕事の本質を他の当業者に伝達するために使用する技法の例である。アルゴリズムは、本明細書では、また一般に、所望の結果をもたらす自己無撞着な一連の演算または同様の信号処理であると考えられる。このコンテキストでは、演算または処理は物理量の物理的操作を伴う。一般に、必ずしも必要ではないが、そのような量は、記憶、転送、結合、比較、または他の方法で操作されることが可能な電気信号または磁気信号の形態をとり得る。
【０１０７】
[00112]主に一般的な用法という理由で、そのような信号をビット、情報、値、要素、記号、文字、変数、項、数、数字などと呼ぶことは時々便利であることがわかっている。ただし、これらまたは同様の用語はすべて、適切な物理量に関連すべきものであり、便利なラベルにすぎないことを理解されたい。別段に明記されていない限り、上記の説明から明らかなように、本明細書全体にわたって、「処理する」、「算出する」、「計算する」、「決定する」、「確認する」、「識別する」、「関連付ける」、「測定する」、「実行する」などの用語を利用する説明は、専用コンピュータまたは同様の専用電子コンピューティングデバイスなど、特定の装置の動作またはプロセスを指すことを諒解されたい。したがって、本明細書の文脈では、専用コンピュータまたは同様の専用電子コンピューティングデバイスは、専用コンピュータまたは同様の専用電子コンピューティングデバイスのメモリ、レジスタ、または他の情報記憶デバイス、送信デバイス、またはディスプレイデバイス内の、電子的、電気的、または磁気的な物理量として通常表される信号を操作または変換することが可能である。
【０１０８】
[00113]本明細書で使用する「および」および「または」という用語は、そのような用語が使用されるコンテキストに少なくとも部分的に依存することも予想される様々な意味を含み得る。一般に、「または」がＡ、ＢまたはＣなどのリストを関連付けるために使用される場合、ここで包含的な意味で使用されるＡ、Ｂ、およびＣを意味し、ならびにここで排他的な意味で使用されるＡ、ＢまたはＣを意味するものとする。さらに、本明細書で使用する「１つまたは複数」という用語は、単数形の任意の特徴、構造、もしくは特性について説明するために使用され得るか、または特徴、構造、もしくは特性の何らかの組合せについて説明するために使用され得る。しかし、これは例示的な例にすぎないこと、および特許請求する主題がこの例に限定されないことに留意されたい。
【０１０９】
[00114]いくつかの例示的な技法について、様々な方法またはシステムを使用して本明細書で説明され示されたが、請求する主題から逸脱することなく、様々な他の変更が行われ得、等価物が置換され得ることが、当業者には理解されよう。さらに、本明細書で説明した中心概念から逸脱することなく、請求する主題の教示に特定の状況を適応させるために多くの変更が行われ得る。したがって、請求する主題は、開示された特定の例に限定されず、そのような請求する主題はまた、添付の特許請求の範囲内に入るすべての実装形態とそれらの等価物とを含み得るものとする。
【図１】
2017533486.tif 000003
【図２】
2017533486.tif 000004
【図３】
2017533486.tif 000005
【図４】
2017533486.tif 000006
【図５】
2017533486.tif 000007
【図６】
2017533486.tif 000008
【手続補正書】
【提出日】平成29年4月19日(2017.4.19)
【手続補正１】
【補正対象書類名】特許請求の範囲
【補正対象項目名】全文
【補正方法】変更
【補正の内容】
【特許請求の範囲】
【請求項１】
サーバデバイスにおいて、クラウドソーシング観測値を取得するための候補として少なくとも１つのソースを識別する第１のメッセージをモバイルデバイスから受信することと、
前記少なくとも１つのソースのために許可されるクラウドソーシング観測値のレベルを決定することと、
前記許可されたレベルを示す第２のメッセージを前記モバイルデバイスに送信することと
を備える方法。
【請求項２】
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、ネットワーク事業者の識別情報、ベニューの識別情報、あるタイプのフェムトセル、またはそれらの任意の組合せのうちの少なくとも１つを使用して前記少なくとも１つのソースを識別する、請求項１に記載の方法。
【請求項３】
前記第１のメッセージを受信するより前に前記モバイルデバイスに第３のメッセージを送信すること、前記第３のメッセージが、前記クラウドソーシング観測値を取得するための暫定ソースとして前記少なくとも１つのソースを指定する、
をさらに備える、請求項１に記載の方法。
【請求項４】
データベースに第４のメッセージを送信することと、前記第４のメッセージが、前記少なくとも１つのソースに関係するプライバシー情報についての要求を備える、
前記プライバシー情報を備える前記データベースから第５のメッセージを受信することと、ここにおいて、前記少なくとも１つのソースのために許可されるクラウドソーシング観測値の前記レベルを前記決定することが、前記第５のメッセージ中の前記プライバシー情報に少なくとも部分的に基づく、
をさらに備える、請求項１に記載の方法。
【請求項５】
前記少なくとも１つのソースに関係する追加情報についての要求を備える第６のメッセージを前記モバイルデバイスに送信することと、
前記追加情報を備える第７のメッセージを受信することと、ここにおいて、前記少なくとも１つのソースのために許可されるクラウドソーシング観測値の前記レベルを前記決定することが、前記第７のメッセージ中の前記追加情報に少なくとも部分的に基づく、ここにおいて、前記第６のメッセージが、前記第１のメッセージを受信した後に送られる、
をさらに備える、請求項１に記載の方法。
【請求項６】
前記第７のメッセージ中の前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、ネットワーク事業者の識別情報、ベニューの識別情報、またはそれらの任意の組合せのうちの少なくとも１つを備える、請求項５に記載の方法。
【請求項７】
前記少なくとも１つのソースが、ＩＥＥＥ８０２．１１  Ｗｉ−Ｆｉ（登録商標）アクセスポイント、Ｂｌｕｅｔｏｏｔｈ（登録商標）アクセスポイント、Ｂｌｕｅｔｏｏｔｈ
Ｌｏｗ  Ｅｎｅｒｇｙ（ＢＴＬＥ）アクセスポイント、ＬＴＥフェムトセル、地理的エリア、またはそれらの任意の組合せのうちの少なくとも１つを備える、請求項１に記載の方法。
【請求項８】
前記少なくとも１つのソースが、媒体アクセス制御（ＭＡＣ）アドレス、セルグローバル識別子、ロケーション、またはそれらの任意の組合せのうちの少なくとも１つを介して識別される、請求項１に記載の方法。
【請求項９】
前記サーバデバイスが、セキュアユーザプレーンロケーション（ＳＵＰＬ）ロケーションプラットフォーム（ＳＬＰ）を備える、請求項１に記載の方法。
【請求項１０】
前記第１のメッセージと前記第２のメッセージとが、ＳＵＰＬセッション、ＬＴＥ測位プロトコル（ＬＰＰ）、ＬＰＰ拡張（ＬＰＰｅ）プロトコル、またはそれらの任意の組合せのうちの少なくとも１つを使用して送信される、請求項１に記載の方法。
【請求項１１】
クラウドソーシング観測値を取得するための候補として少なくとも１つのソースを識別する第１のメッセージをモバイルデバイスから受信するための手段と、
前記少なくとも１つのソースのために許可されるクラウドソーシング観測値のレベルを決定するための手段と、
前記許可されたレベルを示す第２のメッセージを前記モバイルデバイスに送信するための手段と
を備える装置。
【請求項１２】
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを使用して前記少なくとも１つのソースを識別する、請求項１１に記載の装置。
【請求項１３】
前記第１のメッセージを受信するより前に前記モバイルデバイスに第３のメッセージを送信するための手段、前記第３のメッセージが、前記クラウドソーシング観測値を取得するための暫定ソースとして前記少なくとも１つのソースを指定する、
をさらに備える、請求項１１に記載の装置。
【請求項１４】
データベースに第４のメッセージを送信するための手段と、前記第４のメッセージが、前記少なくとも１つのソースに関係するプライバシー情報についての要求を備える、
前記プライバシー情報を備える前記データベースから第５のメッセージを受信するための手段と、ここにおいて、前記少なくとも１つのソースのために許可されるクラウドソーシング観測値の前記レベルを前記決定することが、前記第５のメッセージ中の前記プライバシー情報に少なくとも部分的に基づく、
をさらに備える、請求項１３に記載の装置。
【請求項１５】
前記少なくとも１つのソースに関係する追加情報についての要求を備える第６のメッセージを前記モバイルデバイスに送信するための手段と、
前記追加情報を備える第７のメッセージを受信するための手段と、ここにおいて、前記少なくとも１つのソースのために許可されるクラウドソーシング観測値の前記レベルを前記決定することが、前記第７のメッセージ中の前記追加情報に少なくとも部分的に基づく、ここにおいて、前記第６のメッセージが、前記第１のメッセージを受信した後に送られる、
をさらに備える、請求項１４に記載の装置。
【請求項１６】
前記第７のメッセージ中の前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを備える、請求項１５に記載の装置。
【請求項１７】
電子通信ネットワークと通信するためのワイヤレストランシーバと、
メモリに結合され、
クラウドソーシング観測値を取得するための候補として少なくとも１つのソースを識別する第１のメッセージをモバイルデバイスから受信することと、
前記少なくとも１つのソースのために許可されるクラウドソーシング観測値のレベルを決定することと、
前記許可されたレベルを示す第２のメッセージを前記モバイルデバイスに送信することと
を行うように構成された１つまたは複数のプロセッサと
を備える装置。
【請求項１８】
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを使用して前記少なくとも１つのソースを識別する、請求項１７に記載の装置。
【請求項１９】
前記１つまたは複数のプロセッサがさらに、
前記第１のメッセージを受信するより前に前記モバイルデバイスに第３のメッセージを送信すること、前記第３のメッセージが、前記クラウドソーシング観測値を取得するための暫定ソースとして前記少なくとも１つのソースを指定する、
を行うように構成された、請求項１７に記載の装置。
【請求項２０】
前記１つまたは複数のプロセッサがさらに、
データベースに第４のメッセージを送信することと、前記第４のメッセージが、前記少なくとも１つのソースに関係するプライバシー情報についての要求を備える、
前記プライバシー情報を備える前記データベースから第５のメッセージを受信することと、ここにおいて、前記少なくとも１つのソースのために許可されるクラウドソーシング観測値の前記レベルを前記決定することが、前記第５のメッセージ中の前記プライバシー情報に少なくとも部分的に基づく、
を行うように構成された、請求項１９に記載の装置。
【請求項２１】
前記１つまたは複数のプロセッサがさらに、
前記少なくとも１つのソースに関係する追加情報についての要求を備える第６のメッセージを前記モバイルデバイスに送信することと、
前記追加情報を備える第７のメッセージを受信することと、ここにおいて、前記少なくとも１つのソースのために許可されるクラウドソーシング観測値の前記レベルを前記決定することが、前記第７のメッセージ中の前記追加情報に少なくとも部分的に基づく、ここにおいて、前記第６のメッセージが、前記第１のメッセージを受信した後に送られる、
を行うように構成された、請求項２０に記載の装置。
【請求項２２】
前記第７のメッセージ中の前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを備える、請求項２１に記載の装置。
【請求項２３】
クラウドソーシング観測値を取得するための候補として少なくとも１つのソースを識別する第１のメッセージをモバイルデバイスから受信することと、
前記少なくとも１つのソースのために許可されるクラウドソーシング観測値のレベルを決定することと、
前記許可されたレベルを示す第２のメッセージを前記モバイルデバイスに送信することと
を行うためにプロセッサによって実行可能な命令を有する非一時的記憶媒体
を備える物品。
【請求項２４】
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、ネットワーク事業者の識別情報、ベニューの識別情報、あるタイプのフェムトセル、またはそれらの任意の組合せのうちの少なくとも１つを使用して前記少なくとも１つのソースを識別する、請求項２３に記載の物品。
【請求項２５】
モバイルデバイスにおいて、クラウドソーシング観測値を取得するための候補として少なくとも１つのソースを識別する第１のメッセージを送信することと、
前記少なくとも１つのソースのために許可される前記クラウドソーシング観測値のレベルを示す第２のメッセージを受信することと
を備える方法。
【請求項２６】
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、ネットワーク事業者の識別情報、ベニューの識別情報、あるタイプのフェムトセル、またはそれらの任意の組合せのうちの少なくとも１つを使用して前記少なくとも１つのソースを識別する、請求項２５に記載の方法。
【請求項２７】
前記第１のメッセージを送信するより前に第３のメッセージを受信すること、前記第３のメッセージが、前記クラウドソーシング観測値を取得するための暫定ソースとして前記少なくとも１つのソースを指定する、
をさらに備える、請求項２５に記載の方法。
【請求項２８】
前記少なくとも１つのソースに関係する追加情報についての要求を備える第４のメッセージを受信することと、
前記追加情報を備える第５のメッセージを送信することと、前記第４のメッセージが、前記第１のメッセージを送信した後に、前記第２のメッセージを受信する前に受信される、
をさらに備える、請求項２５に記載の方法。
【請求項２９】
前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、ネットワーク事業者の識別情報、ベニューの識別情報、またはそれらの任意の組合せのうちの少なくとも１つを備える、請求項２８に記載の方法。
【請求項３０】
前記少なくとも１つのソースが、ＩＥＥＥ８０２．１１  Ｗｉ−Ｆｉアクセスポイント、Ｂｌｕｅｔｏｏｔｈアクセスポイント、Ｂｌｕｅｔｏｏｔｈ  Ｌｏｗ  Ｅｎｅｒｇｙ（ＢＴＬＥ）アクセスポイント、ＬＴＥフェムトセル、地理的エリア、またはそれらの任意の組合せのうちの少なくとも１つを備える、請求項２５に記載の方法。
【請求項３１】
前記少なくとも１つのソースが、媒体アクセス制御（ＭＡＣ）アドレス、セルグローバル識別子、ロケーション、またはそれらの任意の組合せのうちの少なくとも１つを介して識別される、請求項２５に記載の方法。
【請求項３２】
前記モバイルデバイスが、セキュアユーザプレーンロケーション（ＳＵＰＬ）対応端末（ＳＥＴ）を備える、請求項２５に記載の方法。
【請求項３３】
前記第１のメッセージと前記第２のメッセージとが、ＳＵＰＬセッション、ＬＴＥ測位プロトコル（ＬＰＰ）、ＬＰＰ拡張（ＬＰＰｅ）プロトコル、またはそれらの任意の組合せのうちの少なくとも１つを使用して送信される、請求項２５に記載の方法。
【請求項３４】
クラウドソーシング観測値を取得するための候補として少なくとも１つのソースを識別する第１のメッセージを送信するための手段と、
前記少なくとも１つのソースのために許可される前記クラウドソーシング観測値のレベルを示す第２のメッセージを受信するための手段と
を備える装置。
【請求項３５】
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを使用して前記少なくとも１つのソースを識別する、請求項３４に記載の装置。
【請求項３６】
前記第１のメッセージを受信するより前に第３のメッセージを受信するための手段、ここにおいて、前記第３のメッセージが、前記クラウドソーシング観測値を取得するための暫定ソースとして前記少なくとも１つのソースを指定する、
をさらに備える、請求項３４に記載の装置。
【請求項３７】
前記少なくとも１つのソースに関係する追加情報についての要求を備える第４のメッセージを受信するための手段と、
前記追加情報を備える第５のメッセージを送信するための手段と、ここにおいて、前記第４のメッセージが、前記第１のメッセージを送信した後に、前記第２のメッセージを受信する前に受信される、
をさらに備える、請求項３６に記載の装置。
【請求項３８】
前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを備える、請求項３７に記載の装置。
【請求項３９】
電子通信ネットワークと通信するためのワイヤレストランシーバと、
メモリに結合され、
クラウドソーシング観測値を取得するための候補として少なくとも１つのソースを識別する第１のメッセージを送信することと、
前記少なくとも１つのソースのために許可される前記クラウドソーシング観測値のレベルを示す第２のメッセージを受信することと
を行うように構成された１つまたは複数のプロセッサと
を備えるモバイルデバイス。
【請求項４０】
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを使用して前記少なくとも１つのソースを識別する、請求項３９に記載のモバイルデバイス。
【請求項４１】
前記１つまたは複数のプロセッサがさらに、
前記第１のメッセージを受信するより前に第３のメッセージを受信すること、ここにおいて、前記第３のメッセージが、前記クラウドソーシング観測値を取得するための暫定ソースとして前記少なくとも１つのソースを指定する、
を行うように構成された、請求項３９に記載のモバイルデバイス。
【請求項４２】
前記１つまたは複数のプロセッサがさらに、
前記少なくとも１つのソースに関係する追加情報についての要求を備える第４のメッセージを受信することと、
前記追加情報を備える第５のメッセージを送信することと、ここにおいて、前記第４のメッセージが、前記第１のメッセージを送信した後に、前記第２のメッセージを受信する前に受信される、
を行うように構成された、請求項４１に記載のモバイルデバイス。
【請求項４３】
前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを備える、請求項４２に記載のモバイルデバイス。
【請求項４４】
モバイルデバイスにおいて、クラウドソーシング観測値を取得するための候補として少なくとも１つのソースを識別する第１のメッセージを送信することと、
前記少なくとも１つのソースのために許可される前記クラウドソーシング観測値のレベルを示す第２のメッセージを受信することと
を行うためにプロセッサによって実行可能な命令を有する非一時的記憶媒体
を備える物品。
【請求項４５】
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、ネットワーク事業者の識別情報、ベニューの識別情報、あるタイプのフェムトセル、またはそれらの任意の組合せのうちの少なくとも１つを使用して前記少なくとも１つのソースを識別する、請求項４４に記載の物品。
【手続補正２】
【補正対象書類名】明細書
【補正対象項目名】０１０９
【補正方法】変更
【補正の内容】
【０１０９】
[00114]いくつかの例示的な技法について、様々な方法またはシステムを使用して本明細書で説明され示されたが、請求する主題から逸脱することなく、様々な他の変更が行われ得、等価物が置換され得ることが、当業者には理解されよう。さらに、本明細書で説明した中心概念から逸脱することなく、請求する主題の教示に特定の状況を適応させるために多くの変更が行われ得る。したがって、請求する主題は、開示された特定の例に限定されず、そのような請求する主題はまた、添付の特許請求の範囲内に入るすべての実装形態とそれらの等価物とを含み得るものとする。
以下に本願の出願当初の特許請求の範囲に記載された発明を付記する。
［Ｃ１］
サーバデバイスにおいて、クラウドソーシング観測値を取得するための候補として少なくとも１つのソースを識別する第１のメッセージをモバイルデバイスから受信することと、
前記少なくとも１つのソースのために許可される観測値のレベルを決定することと、
前記許可されたレベルを示す第２のメッセージを前記モバイルデバイスに送信することと
を備える方法。
［Ｃ２］
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、ネットワーク事業者の識別情報、ベニューの識別情報、あるタイプのフェムトセル、またはそれらの任意の組合せのうちの少なくとも１つを使用して前記少なくとも１つのソースを識別する、Ｃ１に記載の方法。
［Ｃ３］
前記第１のメッセージを受信するより前に前記モバイルデバイスに第３のメッセージを送信すること、前記第３のメッセージが、前記クラウドソーシング観測値を取得するための暫定ソースとして前記少なくとも１つのソースを指定する、
をさらに備える、Ｃ１に記載の方法。
［Ｃ４］
データベースに第４のメッセージを送信することと、前記第４のメッセージが、前記少なくとも１つのソースに関係するプライバシー情報についての要求を備える、
前記プライバシー情報を備える前記データベースから第５のメッセージを受信することと、ここにおいて、前記少なくとも１つのソースのために許可される観測値の前記レベルを前記決定することが、前記第５のメッセージ中の前記プライバシー情報に少なくとも部分的に基づく、
をさらに備える、Ｃ１に記載の方法。
［Ｃ５］
前記少なくとも１つのソースに関係する追加情報についての要求を備える第６のメッセージを前記モバイルデバイスに送信することと、
前記追加情報を備える第７のメッセージを受信することと、ここにおいて、前記少なくとも１つのソースのために許可される観測値の前記レベルを前記決定することが、前記第７のメッセージ中の前記追加情報に少なくとも部分的に基づく、ここにおいて、前記第６のメッセージが、前記第１のメッセージを受信した後に送られる、
をさらに備える、Ｃ１に記載の方法。
［Ｃ６］
前記第７のメッセージ中の前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、ネットワーク事業者の識別情報、ベニューの識別情報、またはそれらの任意の組合せのうちの少なくとも１つを備える、Ｃ５に記載の方法。
［Ｃ７］
前記少なくとも１つのソースが、ＩＥＥＥ８０２．１１  Ｗｉ−Ｆｉ（登録商標）アクセスポイント、Ｂｌｕｅｔｏｏｔｈ（登録商標）アクセスポイント、Ｂｌｕｅｔｏｏｔｈ
Ｌｏｗ  Ｅｎｅｒｇｙ（ＢＴＬＥ）アクセスポイント、ＬＴＥフェムトセル、地理的エリア、またはそれらの任意の組合せのうちの少なくとも１つを備える、Ｃ１に記載の方法。
［Ｃ８］
前記少なくとも１つのソースが、媒体アクセス制御（ＭＡＣ）アドレス、セルグローバル識別子、ロケーション、またはそれらの任意の組合せのうちの少なくとも１つを介して識別される、Ｃ１に記載の方法。
［Ｃ９］
前記サーバデバイスが、セキュアユーザプレーンロケーション（ＳＵＰＬ）ロケーションプラットフォーム（ＳＬＰ）を備える、Ｃ１に記載の方法。
［Ｃ１０］
前記第１のメッセージと前記第２のメッセージとが、ＳＵＰＬセッション、ＬＴＥ測位プロトコル（ＬＰＰ）、ＬＰＰ拡張（ＬＰＰｅ）プロトコル、またはそれらの任意の組合せのうちの少なくとも１つを使用して送信される、Ｃ１に記載の方法。
［Ｃ１１］
クラウドソーシング観測値を取得するための候補として少なくとも１つのソースを識別する第１のメッセージをモバイルデバイスから受信するための手段と、
前記少なくとも１つのソースのために許可される観測値のレベルを決定するための手段と、
前記許可されたレベルを示す第２のメッセージを前記モバイルデバイスに送信するための手段と
を備える装置。
［Ｃ１２］
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを使用して前記少なくとも１つのソースを識別する、Ｃ１１に記載の装置。
［Ｃ１３］
前記第１のメッセージを受信するより前に前記モバイルデバイスに第３のメッセージを送信するための手段、前記第３のメッセージが、前記クラウドソーシング観測値を取得するための暫定ソースとして前記少なくとも１つのソースを指定する、
をさらに備える、Ｃ１１に記載の装置。
［Ｃ１４］
データベースに第４のメッセージを送信するための手段と、前記第４のメッセージが、前記少なくとも１つのソースに関係するプライバシー情報についての要求を備える、
前記プライバシー情報を備える前記データベースから第５のメッセージを受信するための手段と、ここにおいて、前記少なくとも１つのソースのために許可される観測値の前記レベルを前記決定することが、前記第５のメッセージ中の前記プライバシー情報に少なくとも部分的に基づく、
をさらに備える、Ｃ１３に記載の装置。
［Ｃ１５］
前記少なくとも１つのソースに関係する追加情報についての要求を備える第６のメッセージを前記モバイルデバイスに送信するための手段と、
前記追加情報を備える第７のメッセージを受信するための手段と、ここにおいて、前記少なくとも１つのソースのために許可される観測値の前記レベルを前記決定することが、前記第７のメッセージ中の前記追加情報に少なくとも部分的に基づく、ここにおいて、前記第６のメッセージが、前記第１のメッセージを受信した後に送られる、
をさらに備える、Ｃ１４に記載の装置。
［Ｃ１６］
前記第７のメッセージ中の前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを備える、Ｃ１５に記載の装置。
［Ｃ１７］
電子通信ネットワークと通信するためのワイヤレストランシーバと、
メモリに結合され、
クラウドソーシング観測値を取得するための候補として少なくとも１つのソースを識別する第１のメッセージをモバイルデバイスから受信することと、
前記少なくとも１つのソースのために許可される観測値のレベルを決定することと、
前記許可されたレベルを示す第２のメッセージを前記モバイルデバイスに送信することと
を行うように構成された１つまたは複数のプロセッサと
を備える装置。
［Ｃ１８］
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを使用して前記少なくとも１つのソースを識別する、Ｃ１７に記載の装置。
［Ｃ１９］
前記１つまたは複数のプロセッサがさらに、
前記第１のメッセージを受信するより前に前記モバイルデバイスに第３のメッセージを送信すること、前記第３のメッセージが、前記クラウドソーシング観測値を取得するための暫定ソースとして前記少なくとも１つのソースを指定する、
を行うように構成された、Ｃ１７に記載の装置。
［Ｃ２０］
前記１つまたは複数のプロセッサがさらに、
データベースに第４のメッセージを送信することと、前記第４のメッセージが、前記少なくとも１つのソースに関係するプライバシー情報についての要求を備える、
前記プライバシー情報を備える前記データベースから第５のメッセージを受信することと、ここにおいて、前記少なくとも１つのソースのために許可される観測値の前記レベルを前記決定することが、前記第５のメッセージ中の前記プライバシー情報に少なくとも部分的に基づく、
を行うように構成された、Ｃ１９に記載の装置。
［Ｃ２１］
前記１つまたは複数のプロセッサがさらに、
前記少なくとも１つのソースに関係する追加情報についての要求を備える第６のメッセージを前記モバイルデバイスに送信することと、
前記追加情報を備える第７のメッセージを受信することと、ここにおいて、前記少なくとも１つのソースのために許可される観測値の前記レベルを前記決定することが、前記第７のメッセージ中の前記追加情報に少なくとも部分的に基づく、ここにおいて、前記第６のメッセージが、前記第１のメッセージを受信した後に送られる、
を行うように構成された、Ｃ２０に記載の装置。
［Ｃ２２］
前記第７のメッセージ中の前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを備える、Ｃ２１に記載の装置。
［Ｃ２３］
クラウドソーシング観測値を取得するための候補として少なくとも１つのソースを識別する第１のメッセージをモバイルデバイスから受信することと、
前記少なくとも１つのソースのために許可される観測値のレベルを決定することと、
前記許可されたレベルを示す第２のメッセージを前記モバイルデバイスに送信することと
を行うためにプロセッサによって実行可能な命令を有する非一時的記憶媒体
を備える物品。
［Ｃ２４］
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、ネットワーク事業者の識別情報、ベニューの識別情報、あるタイプのフェムトセル、またはそれらの任意の組合せのうちの少なくとも１つを使用して前記少なくとも１つのソースを識別する、Ｃ２３に記載の物品。
［Ｃ２５］
モバイルデバイスにおいて、クラウドソーシング観測値を取得するための候補として少なくとも１つのソースを識別する第１のメッセージを送信することと、
前記少なくとも１つのソースのために許可される前記クラウドソーシング観測値のレベルを示す第２のメッセージを受信することと
を備える方法。
［Ｃ２６］
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、ネットワーク事業者の識別情報、ベニューの識別情報、あるタイプのフェムトセル、またはそれらの任意の組合せのうちの少なくとも１つを使用して前記少なくとも１つのソースを識別する、Ｃ２５に記載の方法。
［Ｃ２７］
前記第１のメッセージを送信するより前に第３のメッセージを受信すること、前記第３のメッセージが、前記クラウドソーシング観測値を取得するための暫定ソースとして前記少なくとも１つのソースを指定する、
をさらに備える、Ｃ２５に記載の方法。
［Ｃ２８］
前記少なくとも１つのソースに関係する追加情報についての要求を備える第４のメッセージを受信することと、
前記追加情報を備える第５のメッセージを送信することと、前記第４のメッセージが、前記第１のメッセージを送信した後に、前記第２のメッセージを受信する前に受信される、
をさらに備える、Ｃ２５に記載の方法。
［Ｃ２９］
前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、ネットワーク事業者の識別情報、ベニューの識別情報、またはそれらの任意の組合せのうちの少なくとも１つを備える、Ｃ２８に記載の方法。
［Ｃ３０］
前記少なくとも１つのソースが、ＩＥＥＥ８０２．１１  Ｗｉ−Ｆｉアクセスポイント、Ｂｌｕｅｔｏｏｔｈアクセスポイント、Ｂｌｕｅｔｏｏｔｈ  Ｌｏｗ  Ｅｎｅｒｇｙ（ＢＴＬＥ）アクセスポイント、ＬＴＥフェムトセル、地理的エリア、またはそれらの任意の組合せのうちの少なくとも１つを備える、Ｃ２５に記載の方法。
［Ｃ３１］
前記少なくとも１つのソースが、媒体アクセス制御（ＭＡＣ）アドレス、セルグローバル識別子、ロケーション、またはそれらの任意の組合せのうちの少なくとも１つを介して識別される、Ｃ２５に記載の方法。
［Ｃ３２］
前記モバイルデバイスが、セキュアユーザプレーンロケーション（ＳＵＰＬ）対応端末（ＳＥＴ）を備える、Ｃ２５に記載の方法。
［Ｃ３３］
前記第１のメッセージと前記第２のメッセージとが、ＳＵＰＬセッション、ＬＴＥ測位プロトコル（ＬＰＰ）、ＬＰＰ拡張（ＬＰＰｅ）プロトコル、またはそれらの任意の組合せのうちの少なくとも１つを使用して送信される、Ｃ２５に記載の方法。
［Ｃ３４］
クラウドソーシング観測値を取得するための候補として少なくとも１つのソースを識別する第１のメッセージを送信するための手段と、
前記少なくとも１つのソースのために許可される前記クラウドソーシング観測値のレベルを示す第２のメッセージを受信するための手段と
を備える装置。
［Ｃ３５］
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを使用して前記少なくとも１つのソースを識別する、Ｃ３４に記載の装置。
［Ｃ３６］
前記第１のメッセージを受信するより前に第３のメッセージを受信するための手段、ここにおいて、前記第３のメッセージが、前記クラウドソーシング観測値を取得するための暫定ソースとして前記少なくとも１つのソースを指定する、
をさらに備える、Ｃ３４に記載の装置。
［Ｃ３７］
前記少なくとも１つのソースに関係する追加情報についての要求を備える第４のメッセージを受信するための手段と、
前記追加情報を備える第５のメッセージを送信するための手段と、ここにおいて、前記第４のメッセージが、前記第１のメッセージを送信した後に、前記第２のメッセージを受信する前に受信される、
をさらに備える、Ｃ３６に記載の装置。
［Ｃ３８］
前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを備える、Ｃ３７に記載の装置。
［Ｃ３９］
電子通信ネットワークと通信するためのワイヤレストランシーバと、
メモリに結合され、
クラウドソーシング観測値を取得するための候補として少なくとも１つのソースを識別する第１のメッセージを送信することと、
前記少なくとも１つのソースのために許可される前記クラウドソーシング観測値のレベルを示す第２のメッセージを受信することと
を行うように構成された１つまたは複数のプロセッサと
を備えるモバイルデバイス。
［Ｃ４０］
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを使用して前記少なくとも１つのソースを識別する、Ｃ３９に記載のモバイルデバイス。
［Ｃ４１］
前記１つまたは複数のプロセッサがさらに、
前記第１のメッセージを受信するより前に第３のメッセージを受信すること、ここにおいて、前記第３のメッセージが、前記クラウドソーシング観測値を取得するための暫定ソースとして前記少なくとも１つのソースを指定する、
を行うように構成された、Ｃ３９に記載のモバイルデバイス。
［Ｃ４２］
前記１つまたは複数のプロセッサがさらに、
前記少なくとも１つのソースに関係する追加情報についての要求を備える第４のメッセージを受信することと、
前記追加情報を備える第５のメッセージを送信することと、ここにおいて、前記第４のメッセージが、前記第１のメッセージを送信した後に、前記第２のメッセージを受信する前に受信される、
を行うように構成された、Ｃ４１に記載のモバイルデバイス。
［Ｃ４３］
前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、またはそれらの任意の組合せのうちの少なくとも１つを備える、Ｃ４２に記載のモバイルデバイス。
［Ｃ４４］
モバイルデバイスにおいて、クラウドソーシング観測値を取得するための候補として少なくとも１つのソースを識別する第１のメッセージを送信することと、
前記少なくとも１つのソースのために許可される前記クラウドソーシング観測値のレベルを示す第２のメッセージを受信することと
を行うためにプロセッサによって実行可能な命令を有する非一時的記憶媒体
を備える物品。
［Ｃ４５］
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、ネットワーク事業者の識別情報、ベニューの識別情報、あるタイプのフェムトセル、またはそれらの任意の組合せのうちの少なくとも１つを使用して前記少なくとも１つのソースを識別する、Ｃ４４に記載の物品。
【国際調査報告】
2017533486.tif 000009
2017533486.tif 000010
2017533486.tif 000011